(57)【要約】  記録範囲をクローズする方法及び装置、記録媒体をクローズする方法及び装置、管理情報を記録する方法及び装置、記録媒体の記録／再生方法及び装置と記録媒体を提供する。記録媒体のユーザーデータ領域に割り当てられた記録範囲をクローズする方法において、前記記録媒体の記録媒体情報から記録媒体のタイプを確認し、前記記録媒体のタイプが、前記記録範囲内の記録領域が未記録領域より高い反射率を有することを示す場合、前記未記録領域を記録領域に変更することを特徴とする。
2009529749.tif 000002
【特許請求の範囲】
【請求項１】
記録媒体のユーザーデータ領域に割り当てられた記録範囲をクローズする方法であって、
前記記録媒体の記録媒体情報から記録媒体のタイプを確認するステップと、
前記記録媒体のタイプが、記録領域が未記録領域より高い反射率を有することを示す場合、前記記録範囲内の前記未記録領域を記録領域に変更するステップと
を有することを特徴とする方法。
【請求項２】
前記記録範囲が未記録領域を含まないことを示すインジケータを前記記録媒体の管理領域に記録するステップをさらに有することを特徴とする請求項１に記載の方法。
【請求項３】
前記記録媒体のタイプは、前記記録媒体情報内で定義されたプッシュプル（ｐｕｓｈ−ｐｕｌｌ）極性によって確認されることを特徴とする請求項１に記載の方法。
【請求項４】
前記記録媒体の前記プッシュプル極性はネガティブであることを特徴とする請求項３に記載の方法。
【請求項５】
前記記録媒体のタイプは、前記記録媒体情報内で定義された記録マーク極性によって確認されることを特徴とする請求項１に記載の方法。
【請求項６】
前記記録媒体のタイプが、前記記録領域が前記未記録領域より低い反射率を有することを示す場合、前記記録範囲内の前記未記録領域を記録領域に選択的に変更することを特徴とする請求項１に記載の方法。
【請求項７】
記録媒体のユーザーデータ領域に割り当てられた記録範囲を少なくとも一つクローズする方法であって、
前記記録範囲で有効データが記録された最後の地点を確認するステップと、
前記記録範囲で有効データが記録された最後の地点の次に認識情報を記録するステップと
を有し、
前記認識情報は、前記認識情報の前にあるデータが前記記録範囲で最後に記録された有効データであることを示すことを特徴とする方法。
【請求項８】
前記認識情報を前記記録範囲の終了部分に記録するステップをさらに有することを特徴とする請求項７に記載の方法。
【請求項９】
前記認識情報は、前記有効データが記録された最後の地点の次に形成されたガード領域に記録されることを特徴とする請求項７に記載の方法。
【請求項１０】
前記記録媒体は、未記録領域より記録領域で高い反射率を有することを特徴とする請求項７に記載の方法。
【請求項１１】
記録媒体のユーザーデータ領域に割り当てられた記録範囲をクローズする装置であって、
前記記録媒体にデータを記録、又は前記記録媒体からデータを再生するピックアップ部と、
前記記録媒体の記録媒体情報から記録媒体のタイプを確認し、前記記録媒体のタイプが、前記記録範囲内の記録領域が未記録領域より高い反射率を有することを示す場合、前記ピックアップ部を制御して前記未記録領域を記録領域に変更する制御部と
を備えることを特徴とする装置。
【請求項１２】
記録媒体のユーザーデータ領域に割り当てられた記録範囲をクローズする装置であって、
前記記録媒体にデータを記録、又は前記記録媒体からデータを再生するピックアップ部と、
前記記録範囲で有効データが記録された最後の地点を確認し、前記ピックアップ部を制御して前記記録範囲で有効データが記録された最後の地点の次に認識情報を記録する制御部と
を備えることを特徴とする装置。
【請求項１３】
記録媒体に管理情報を記録する方法であって、
前記記録媒体内のユーザーデータ領域に記録範囲を少なくとも一つ割り当てるステップと、
前記記録範囲の状態情報を含む管理情報を前記記録媒体の管理領域に記録するステップと
を有し、
前記状態情報は、前記記録範囲が未記録領域を含むか否かを示す第１インジケータを含むこと
を特徴とする方法。
【請求項１４】
前記状態情報は、前記記録範囲が前記ユーザーデータ領域で有効データを含む最後の記録範囲であるか否かを示す第２インジケータをさらに含むことを特徴とする請求項１３に記載の方法。
【請求項１５】
前記最後の記録範囲は、認識情報をさらに含み、前記認識情報は、前記認識情報の前にあるデータが前記記録範囲で最後に記録された有効データであることを示すこと
を特徴とする請求項１４に記載の方法。
【請求項１６】
前記第２インジケータは、前記記録媒体のタイプによって選択的に記録されることを特徴とする請求項１４に記載の方法。
【請求項１７】
一つ以上の記録範囲が割り当てられた記録媒体をクローズする方法であって、
前記記録媒体のユーザーデータ領域で有効データを含む最後の記録範囲にガード領域を形成するステップと、
前記記録媒体の前記最後の記録範囲を確認するのに用いられるインジケータを前記記録媒体の管理領域に記録するステップ
を有することを特徴とする方法。
【請求項１８】
記録範囲が少なくとも一つ割り当てられたユーザーデータ領域と、
前記記録範囲の状態情報を含む管理情報を保存する管理領域と
を有し、
前記状態情報は、前記記録範囲が未記録領域を含むか否かを示す第１インジケータを含むこと
を特徴とする記録媒体。
【請求項１９】
前記状態情報は、前記記録範囲が前記ユーザーデータ領域で有効データを含む最後の記録範囲であるか否かを示す第２インジケータをさらに含むことを特徴とする請求項１８に記載の記録媒体。
【請求項２０】
記録媒体に管理情報を記録する装置であって、
前記記録媒体にデータを記録、又は前記記録媒体からデータを再生するピックアップ部と、
前記ピックアップ部を制御して前記記録媒体のユーザーデータ領域に記録範囲を少なくとも一つ割り当てて、前記ピックアップ部を制御して前記記録範囲の状態情報を含む管理情報を前記記録媒体の管理領域に記録する制御部と
を備え、
前記状態情報は、前記記録範囲が未記録領域を含むか否かを示す第１インジケータを含むこと
を特徴とする装置。
【請求項２１】
前記状態情報は、前記記録範囲が前記ユーザーデータ領域で有効データを含む最後の記録範囲であるかどうかを示す第２インジケータをさらに含むことを特徴とする請求項２０に記載の装置。
【請求項２２】
一つ以上の記録範囲が割り当てられた記録媒体をクローズする装置であって、
前記記録媒体にデータを記録、又は前記記録媒体からデータを再生するピックアップ部と、
前記ピックアップを制御して前記記録媒体のユーザーデータ領域で有効データを含む最終記録範囲にガード領域を形成し、前記ピックアップを制御してインジケータを前記記録媒体の管理領域に記録する制御部と
を備え、
前記インジケータは、前記記録媒体の前記最終記録範囲を確認するために用いられること
を特徴とする装置。
【請求項２３】
記録媒体をクローズする方法であって、
前記記録媒体のユーザーデータ内で有効データが充填された最後の地点を示す最終有効データ記録地点（Ａ）の前に位置する未記録領域を記録領域に変更するステップと、
前記記録媒体がクローズされたことを示す認識情報を前記最終有効データ記録地点（Ａ）の次に記録するステップと
を有する方法。
【請求項２４】
前記認識情報は、前記最終有効データ記録地点（Ａ）の次に形成されたガード領域に記録されることを特徴とする請求項２３に記載の方法。
【請求項２５】
前記ガード領域は、前記認識情報としてダミーデータが充填されることを特徴とする請求項２３に記載の方法。
【請求項２６】
前記ガード領域は、前記認識情報として有効データが充填されることを特徴とする請求項２３に記載の方法。
【請求項２７】
臨時管理領域内の最新管理情報を最終管理領域に記録するステップをさらに有することを特徴とする請求項２３に記載の方法。
【請求項２８】
一つ以上の記録範囲が割り当てられた記録媒体をクローズする方法であって、
前記記録媒体内の未記録領域を記録領域に変更するステップと、
前記記録媒体がクローズされたことを示すインジケータを前記記録媒体の管理情報に記録するステップと
を有する方法。
【請求項２９】
前記記録媒体は、前記未記録領域より前記記録領域で高い反射率を有することを特徴とする請求項２８に記載の方法。
【請求項３０】
一つ以上の記録範囲が割り当てられた記録媒体をクローズする方法であって、
認識情報が記録される位置を決定するステップと、
前記決定された位置の後に位置する有効データを前記ガード領域の前にある未記録領域に記録するステップと、
前記決定された位置に前記認識情報を記録するステップと
を有する方法。
【請求項３１】
前記認識情報は、前記決定された位置に形成されたガード領域に記録されることを特徴とする請求項３０に記載の方法。
【請求項３２】
前記記録された有効データに対する管理情報を前記記録媒体の管理領域に記録するステップをさらに有することを特徴とする請求項３０に記載の方法。
【請求項３３】
前記決定された位置の後に位置する前記有効データは、論理的重畳記録によって前記未記録領域に記録されることを特徴とする請求項３０に記載の方法。
【請求項３４】
記録媒体からデータを再生する方法であって、
前記記録媒体がクローズされたかどうかを確認するステップと、
前記記録媒体がクローズされた場合、前記記録媒体のユーザーデータ領域内で有効データが記録された最後の地点を確認し、前記最後の地点までデータを再生するステップと
を有する方法。
【請求項３５】
前記記録媒体がクローズされたかどうかは、前記記録媒体の管理領域内のクローズインジケータによって確認されることを特徴とする請求項３４に記載の方法。
【請求項３６】
前記有効データが記録された最後の地点は、前記有効データが記録された最後の地点の次に形成されたガード領域によって確認されることを特徴とする請求項３４に記載の方法。
【請求項３７】
ユーザーデータ領域及び管理領域を含む記録媒体をクローズする装置であって、
前記記録媒体にデータを記録、又は前記記録媒体からデータを再生するピックアップ部と、
前記ピックアップ部を制御して前記記録媒体のユーザーデータ内で有効データが記録された最後の地点（Ａ）の前に位置する未記録領域を記録領域に変更し、前記ピックアップ部を制御して認識情報を前記有効データが記録された最後の地点（Ａ）の次に記録する制御部と
を備え、
前記認識情報は、前記記録媒体内で前記有効データが記録された最後の地点（Ａ）を確認するのに用いられること
を特徴とする装置。
【請求項３８】
一つ以上の記録範囲が割り当てられた記録媒体をクローズする装置であって、
前記記録媒体にデータを記録、又は前記記録媒体からデータを再生するピックアップ部と、
認識情報が記録される位置を決定し、前記ピックアップ部を制御して前記決定された位置の後に位置する有効データを前記ガード領域の前にある未記記録領域に記録し、前記ピックアップ部を制御して前記決定された位置に前記認識情報を記録する制御部と
を備える装置。
【請求項３９】
記録媒体を記録／再生する装置であって、
前記記録媒体にデータを記録、又は前記記録媒体からデータを再生するピックアップ部と、
前記記録媒体がクローズされたかどうかを確認し、前記記録媒体がクローズされた場合、前記記録媒体のユーザーデータ領域内で有効データが記録された最後の地点を確認し、前記ピックアップ部を制御して前記有効データが記録された最後の地点までデータを再生する制御部と
を備えることを特徴とする装置。
【請求項４０】
記録範囲が少なくとも一つ割り当てられた記録媒体を記録／再生する方法であって、
記録媒体を再生／記録する装置がアイドル（ｉｄｌｅ）状態であるかどうかを確認するステップと、
前記装置がアイドル状態である場合、前記記録媒体のクローズする処理を実行するステップと
を有し
前記クローズする処理は、前記記録範囲内の未記録領域を記録領域に変更すること
を特徴とする方法。
【請求項４１】
前記クローズする処理を実行する間にインタラプトが発生する場合、前記クローズする処理を中断し、前記インタラプトに対応するコマンドを実行するステップ
をさらに有することを特徴とする請求項４０に記載の方法。
【請求項４２】
前記インタラプトによって前記クローズ処理を中断するとき、前記記録範囲内で前記クローズ処理が行われた最後の位置を保存するステップ
をさらに有することを特徴とする請求項４０に記載の方法。
【請求項４３】
前記インタラプトによって前記クローズ処理を中断するとき、前記クローズ処理が行われていた前記記録範囲を示すインジケータを前記記録媒体の管理領域に記録するステップ
をさらに有することを特徴とする請求項４２に記載の方法。
【請求項４４】
記録範囲が少なくとも一つ割り当てられるユーザーデータ領域と、
管理情報が記録される管理領域を有し、
前記管理情報は、前記記録範囲の状態情報を含み、前記状態情報は、前記記録媒体を記録／再生する装置がアイドル状態である間に前記記録範囲がクローズされているかを示すインジケータを含むこと
を特徴とする記録媒体。
【請求項４５】
記録範囲が少なくとも一つ割り当てられた記録媒体を記録／再生する装置であって、
前記記録媒体にデータを記録、又は前記記録媒体からデータを再生するピックアップ部と、
前記装置がアイドル状態である場合、前記ピックアップ部を制御して前記記録媒体のクローズ処理を行う制御部と
を備え、
前記クローズ処理は、前記記録範囲内の未記録領域を記録領域に変更すること
を特徴とする装置。
【請求項４６】
前記制御部は、インタラプトが発生した場合に前記クローズ処理を中断することを特徴とする請求項４５に記載の装置。
【請求項４７】
前記インタラプトによって前記クローズ処理が中断するとき、前記記録範囲内で前記クローズ処理が行われた最後の位置を保存するメモリをさらに備えること
を特徴とする請求項４６に記載の装置。
【請求項４８】
前記制御部は、前記インタラプトによって前記クローズ処理が中断するとき、前記ピックアップ部を制御して前記クローズ処理が行われていた前記記録範囲を示すインジケータを前記記録媒体の管理領域に記録することを特徴とする請求項４６に記載の装置。
【発明の詳細な説明】
【技術分野】
【０００１】
本発明は、記録媒体に関するもので、特に、記録媒体を効率的に記録及び／または再生するための方法及び装置に関するものである。
【背景技術】
【０００２】
光ディスクが、大容量のデータを記録するための記録媒体として広く使用されている。その中で、高画質のビデオデータと高音質のオーディオデータを長時間の間に記録・保存可能な新しい高密度記録媒体、例えば、ブルーレイディスク（Ｂｌｕ−ｒａｙ  Ｄｉｓｃ；ＢＤ）が開発されている。
【０００３】
近年、次世代の記録媒体技術であるブルーレイディスク（ＢＤ）は、既存のＤＶＤを著しく凌駕するデータを記録可能な次世代の光記録ソリューションとして、他のデジタル機器と共に、これに対する世界標準の技術仕様が定立されている。
【０００４】
しかしながら、前記ブルーレイディスク（ＢＤ）のような次世代の高密度光記録媒体を用いた好適な記録方法、特に、記録媒体のクローズ（ｃｌｏｓｅ）に対応する管理情報を記録・管理する方法が提示されておらず、本格的なブルーレイディスク（ＢＤ）基盤の光記録／再生機を開発するのに多くの制約が伴っている実情である。
【発明の開示】
【発明が解決しようとする課題】
【０００５】
したがって、本発明は、記録範囲をクローズする方法及び装置、記録媒体をクローズする方法及び装置、管理情報を記録する方法及び装置、記録媒体の記録／再生方法及び装置と記録媒体を提供し、関連技術の制約及び欠陥による問題を解消することが目的である。
【０００６】
また、上記のような実情を勘案してなされた本発明の目的は、様々な記録媒体の使用に適した新しい記録媒体の記録／再生方法及び装置にある。
【０００７】
また、上記のような実情を勘案してなされた本発明の他の目的は、記録媒体に記録媒体のクローズと関連した管理情報を記録する方法及び装置にある。
【０００８】
また、上記のような実情を勘案してなされた本発明の他の目的は、記録媒体をクローズする方法及び装置にある。
【０００９】
また、上記のような実情を勘案してなされた本発明の他の目的は、前記記録／再生方法及び／または前記管理情報の記録方法が適用される記録媒体にある。
【課題を解決するための手段】
【００１０】
本発明の上記のような目的は、記録媒体のユーザーデータ領域に割り当てられた記録範囲をクローズする方法を提供することで達成される。前記方法は、前記記録媒体の記録媒体情報から記録媒体のタイプを確認し、前記記録媒体のタイプが、前記記録範囲内の記録領域（recorded area）が未記録領域（unrecorded area）より高い反射率を有することを示す場合、前記未記録領域を記録領域に変更するステップを含む。
【００１１】
前記方法は、前記記録範囲が未記録領域を含まないことを示すインジケータを前記記録媒体の管理領域に記録するステップをさらに含む。
【００１２】
また、本発明は、記録媒体のユーザーデータ領域に割り当てられた記録範囲を少なくとも一つクローズする方法を提供する。前記方法は、前記記録範囲で有効データが記録された最後の地点を確認し、前記最後の地点の次に認識情報を記録するステップを含む。前記認識情報は、前記認識情報の前にあるデータが前記記録範囲で最後に記録された有効データであることを示すようになる。
【００１３】
前記方法は、前記認識情報を前記記録範囲の終了部分にさらに記録するステップを含む。
【００１４】
前記認識情報は、前記最後の地点の次に形成されたガード領域に記録される。
【００１５】
前記記録媒体は、未記録領域より記録領域で高い反射率を有する。
【００１６】
また、本発明は、記録媒体のユーザーデータ領域に割り当てられた記録範囲をクローズする装置を提供する。前記装置は、前記記録媒体にデータを記録、又は前記記録媒体からデータを再生するピックアップ部と、前記記録媒体の記録媒体情報から記録媒体のタイプを確認し、前記記録媒体のタイプが、前記記録範囲内の記録領域が未記録領域より高い反射率を有することを示す場合、前記ピックアップを制御して前記未記録領域を記録領域に変更する制御部と、を含む。
【００１７】
また、本発明は、記録媒体のユーザーデータ領域に割り当てられた記録範囲を少なくとも一つクローズする装置を提供する。前記装置は、前記記録媒体にデータを記録、又は前記記録媒体からデータを再生するピックアップ部と、前記記録範囲で有効データが記録された最後の地点を確認し、前記ピックアップ部を制御して前記最後の地点の次に認識情報を記録する制御部と、を含む。前記認識情報は、前記認識情報の前にあるデータが前記記録範囲で最後に記録された有効データであることを示すようになる。
【００１８】
また、本発明は、記録媒体に管理情報を記録する方法を提供する。前記方法は、前記記録媒体内のユーザーデータ領域に記録範囲を少なくとも一つ割り当てて、前記記録媒体の管理領域に前記記録範囲の状態情報を含む管理情報を記録するステップを含み、前記状態情報は、前記記録範囲が未記録領域を含むかどうかを示す第１インジケータを含む情報である。
【００１９】
前記最後の記録範囲は、認識情報をさらに含み、前記認識情報は、前記認識情報の前にあるデータが前記記録範囲で最後に記録された有効データであることを示すようになる。
【００２０】
また、本発明は、一つ以上の記録範囲が割り当てられた記録媒体をクローズする方法を提供する。前記方法は、前記記録媒体のユーザーデータ領域内の最後の記録範囲にガード領域を形成し、前記最後の記録範囲を確認するのに用いられるインジケータを前記記録媒体の管理領域に記録するステップを含む。
【００２１】
また、本発明は、記録範囲が少なくとも一つ割り当てられたユーザーデータ領域と、前記記録範囲の状態情報を含む管理情報を保存する管理領域と、を含み、前記状態情報は、前記記録範囲が未記録領域を含むかどうかを示す第１インジケータを含む記録媒体を提供する。
【００２２】
前記状態情報は、前記記録範囲が前記ユーザーデータ領域で有効データを含む最後の記録範囲であるかどうかを示す第２インジケータをさらに含む。
【００２３】
また、本発明は、記録媒体に管理情報を記録する装置を提供する。前記装置は、前記記録媒体にデータを記録、又は前記記録媒体からデータを再生するピックアップと、前記ピックアップを制御して前記記録媒体のユーザーデータ領域に記録範囲を少なくとも一つ割り当てて、前記ピックアップを制御して前記記録範囲の状態情報を含む管理情報を前記記録媒体の管理領域に記録する制御部と、を含む。前記状態情報は、前記記録範囲が未記録領域を含むかどうかを示す第１インジケータを含んでいる。
【００２４】
前記状態情報は、前記記録範囲が前記ユーザーデータ領域で有効データを含む最後の記録範囲であるかどうかを示す第２インジケータをさらに含む。
【００２５】
また、本発明は、一つ以上の記録範囲が割り当てられた記録媒体をクローズする装置を提供する。前記装置は、前記記録媒体にデータを記録、又は前記記録媒体からデータを再生するピックアップと、前記ピックアップを制御して前記記録媒体のユーザーデータ領域内の最終記録範囲にガード領域を形成し、前記ピックアップを制御して前記最終記録範囲を確認するのに用いられるインジケータを前記記録媒体の管理領域に記録する制御部と、を含む。
【００２６】
また、本発明は、記録媒体をクローズする方法を提供する。前記方法は、前記記録媒体のユーザーデータ内で有効データが充填された最後の地点（Ａ）の前に位置する未記録領域を記録領域に変更し、前記記録媒体がクローズされたことを示す認識情報を前記最後の地点（Ａ）の次に記録するステップを含む。
【００２７】
前記認識情報は、前記最後の地点（Ａ）の次に形成されたガード領域に記録される。
【００２８】
前記ガード領域は、前記認識情報であるダミーデータで充填される。
【００２９】
前記ガード領域は、前記認識情報である有効データで充填される。
【００３０】
また、本発明は、一つ以上の記録範囲が割り当てられた記録媒体をクローズする方法を提供する。前記方法は、前記記録媒体内の未記録領域を記録領域に変更し、前記記録媒体がクローズされたことを示すインジケータを前記記録媒体の管理情報に記録するステップを含む。
【００３１】
前記記録媒体は、前記未記録領域より前記記録領域で高い反射率を有する。
【００３２】
また、本発明は、一つ以上の記録範囲が割り当てられた記録媒体をクローズする方法を提供する。前記方法は、認識情報が記録される位置を決定し、前記決定された位置の後に位置する有効データを前記ガード領域の前にある未記録領域に記録し、前記決定された位置に前記認識情報を記録するステップを含む。
【００３３】
前記方法は、前記記録媒体の管理領域に前記有効データに対する管理情報を記録するステップをさらに含む。
【００３４】
前記決定された位置の後に位置する前記有効データは、論理的重畳記録（ＬＯＷ）によって前記未記録領域に記録される。
【００３５】
また、本発明は、記録媒体からデータを再生する方法を提供する。前記方法は、前記記録媒体がクローズされたかどうかを確認し、前記記録媒体がクローズされた場合、前記記録媒体のユーザーデータ領域内で有効データが記録された最後の地点を確認し、前記最後の地点までデータを再生するステップを含む。
【００３６】
前記最後の地点は、前記最後の地点の次に形成されたガード領域によって確認される。
【００３７】
また、本発明は、ユーザーデータ領域及び管理領域を含む記録媒体をクローズする装置を提供する。前記装置は、前記記録媒体にデータを記録、又は前記記録媒体からデータを再生するピックアップと、前記ピックアップを制御して前記記録媒体のユーザーデータ内で有効データが充填された最後の地点（Ａ）の前に位置する未記録領域を記録領域に変更し、前記ピックアップを制御して前記最後の地点（Ａ）を確認するのに用いられる認識情報を前記最後の地点（Ａ）の次に記録する制御部と、を含む。
【００３８】
また、本発明は、一つ以上の記録範囲が割り当てられた記録媒体をクローズする装置を提供する。前記装置は、前記記録媒体にデータを記録したり、前記記録媒体からデータを再生するピックアップと、認識情報が記録される位置を決定し、前記ピックアップを制御して前記決定された位置の後に位置する有効データを前記ガード領域の前にある未記録領域に記録し、前記ピックアップを制御して前記決定された位置に前記認識情報を記録する制御部と、を含む。
【００３９】
また、本発明は、記録媒体を記録／再生する装置を提供する。前記装置は、前記記録媒体にデータを記録したり、前記記録媒体からデータを再生するピックアップと、前記記録媒体がクローズされたかどうかを確認し、前記記録媒体がクローズされた場合、前記記録媒体のユーザーデータ領域内で有効データが記録された最後の地点を確認し、前記ピックアップを制御して前記最後の地点までデータを再生する制御部と、を含む。
【００４０】
また、本発明は、記録範囲が少なくとも一つ割り当てられた記録媒体を記録／再生する方法を提供する。前記方法は、記録媒体を再生／記録する装置がアイドル（ｉｄｌｅ）状態であるかどうかを確認し、前記装置がアイドル状態である場合、前記記録媒体のクローズ処理を行い、前記クローズ処理は、前記記録範囲内の未記録領域を記録領域に変更するステップを含む。
【００４１】
前記方法は、前記クローズ処理を行う間にインタラプトが発生する場合、前記クローズ処理を中断し、前記インタラプトに対応するコマンドを行うステップをさらに含む。
【００４２】
前記方法は、前記インタラプトによって前記クローズ処理を中断するとき、前記記録範囲内で前記クローズ処理が行われた最後の位置を保存するステップをさらに含む。
【００４３】
前記方法は、前記インタラプトによって前記クローズ処理を中断するとき、前記クローズ処理が行われていた前記記録範囲を示すインジケータを前記記録媒体の管理領域に記録するステップをさらに含む。
【００４４】
また、本発明は、記録範囲が少なくとも一つ割り当てられるユーザーデータ領域と、管理情報が記録される管理領域と、を含み、前記管理情報は、前記記録範囲の状態情報を含み、前記状態情報は、前記記録媒体を記録／再生する装置がアイドル状態である間に前期記録範囲がクローズされているかどうかを示すインジケータを含む記録媒体を提供する。
【００４５】
また、本発明は、記録範囲が少なくとも一つ割り当てられた記録媒体を記録／再生する装置を提供する。前記記録媒体にデータを記録したり、前記記録媒体からデータを再生するピックアップと、前記装置がアイドル状態である場合、前記ピックアップを制御して前記記録媒体のクローズ処理を行う制御部と、を含む。前記クローズ処理で、前記記録範囲内の未記録領域が記録領域に変更される。
【００４６】
前記装置は、前記インタラプトによって前記クローズ処理を中断するとき、前記記録範囲内で前記クローズ処理が行われた最後の位置を保存するメモリをさらに含む。
【００４７】
本発明の上述した一般的な説明及び後述する詳細な説明は、例示的かつ説明的なものに過ぎなく、請求された本発明に対する更なる説明を提供するためのものである。
【産業上の利用可能性】
【００４８】
本発明に係る好適な記録媒体、記録媒体の記録／再生方法及び装置と記録媒体の管理情報記録方法などを通して、互いに異なるバージョンの記録媒体を互換的に再生することが可能になる。また、記録媒体をクローズする時間を短縮することが可能になる。
【発明を実施するための最良の形態】
【００４９】
以下、本発明に係る記録媒体及び記録媒体の記録／再生方法に対する好適な実施例に対し、添付された図面を参照して詳細に説明する。可能な限り、同一の参照番号が、同一または類似した部分を言及するために図面全体にわたって使用される。
【００５０】
併せて、本発明で使用される用語は、可能な限り現在広く使用される一般的な用語から選択したが、本発明の記載で言及されている用語には出願人の裁量で選定されたものもあり、該当する説明部分でその意味を詳細に記載している。さらに、単純な用語の名称でない用語の持つ意味によって本発明を把握すべきであることを明らかにしておく。
【００５１】
以下、本発明における"記録媒体"とは、データが記録されているか、データが記録される全ての媒体を意味し、例えば、光ディスク及び磁気テープなどのように記録方式と関係なしに全ての媒体を包括する意味である。本発明では、説明の便宜上、記録媒体として光ディスク、特に"ブルーレイディスク（ＢＤ）"を例に挙げて説明するが、本発明の技術思想が他の記録媒体にも同一に適用可能であることは自明である。
【００５２】
本発明における"記録媒体のクローズ（ｃｌｏｓｅ）"とは、記録媒体にデータ記録をこれ以上行わない場合に、その記録媒体を再生用記録媒体としてのみ活用するための一連の動作を意味する。これを"ファイナライズ（ｆｉｎａｌｉｚａｔｉｏｎ）"ともいい、特に、１回記録可能な光ディスクで広く活用される。
【００５３】
本発明における"バックグラウンドクローズ（ｂａｃｋｇｒｏｕｎｄ  ｃｌｏｓｅ）"とは、記録媒体に割り当てられた記録範囲をクローズするにおいて、記録／再生装置（またはシステム）がアイドル（ｉｄｌｅ）状態であるとき、クローズを望むその記録範囲内の未記録領域を記録領域に変更する動作を意味する。また、前記記録／再生装置が"アイドル状態"であることは、例えば、記録／再生装置内のピックアップ（図９及び図１１）の動作が中断された状態として、記録媒体内にデータを記録したり、記録媒体からデータを再生する動作が行われない状態を意味する。したがって、前記アイドル状態区間で本発明と関連した前記"バックグラウンドクローズ"が行われ、これは、使用者の認識と関係なしに、記録／再生装置（またはシステム）が規格化された方法で自ら動作することを意味する。以下、これに対し、図１０Ｃ、図１１Ｃ、図１１Ｄ及び図１５に基づいて詳細に説明する。
【００５４】
図１は、本発明による記録媒体と記録媒体を記録再生する装置との間の関連性を概念的に示した図である。
【００５５】
一般的に、新しいバージョンの規格は、ＢＤなどの新しい記録媒体で継続的に制定されている。例えば、以前のバージョンによる光ディスク１００ａは、ディスク内にピットが形成された記録領域の反射率が、ピットのない未記録領域の反射率より相対的に低い媒質を有している（これを"Ｈ−ｔｏ−Ｌ  ｍｅｄｉａ"ともいう）。その反面、新しいバージョンによる光ディスク１００ｂは、ディスク内にピットが形成された記録領域の反射率が、ピットのない未記録領域の反射率より相対的に高い媒質を有している（これを"Ｌ−ｔｏ−Ｈ  ｍｅｄｉａ"ともいう）。
【００５６】
記録媒体の媒質とプッシュプル（Ｐｕｓｈ−Ｐｕｌｌ）信号の特性を示した表１は次の通りである。
【００５７】
【表１】
2009529749.tif 000003
【００５８】
古いバージョンによる光ディスク１００ａの媒質は、未記録領域の反射率が記録領域の反射率より高い。その反対に、新しいバージョンによる光ディスク１００ｂは、未記録領域の反射率が記録領域の反射率より高い。
【００５９】
サーボのトラッキング信号を生成するためのプッシュプル信号の特性を説明すると、新しいバージョンによる光ディスク１００ｂは、記録領域のプッシュプルレベルが未記録領域のレベルより低く、前記プッシュプル信号の極性が以前のバージョンによる光ディスク１００ａと反対である。すなわち、光ディスクに未記録領域と記録領域が表１のような順に混在していると仮定すると、以前のバージョンによる光ディスク１００ａの反射率はＨ、Ｌ及びＨで、プッシュプル信号特性は、前記反射率と反対にＬ、Ｈ及びＬである。その反面、新しいバージョンによる光ディスク１００ｂの反射率はＬ、Ｈ及びＬで、プッシュプル信号特性はＨ、Ｌ及びＨである。
【００６０】
一般的に、規格が制定された当時に、これに適した記録／再生装置（"ＰｌａｙｅｒまたはＲｅｃｏｒｄｅｒ"ともいう）が開発される。例えば、図面符号１０ａの記録／再生装置は、以前のバージョンの光ディスク１００ａに対応する装置で、図面符号１０ｂの記録／再生装置は、新しいバージョンの光ディスク１００ｂにも対応可能な装置である。したがって、図面符号１０ｂの記録／再生装置は、新しいバージョンの光ディスク１００ｂのみならず、以前のバージョンの光ディスク１００ａも記録／再生できるように設計される。その反面、図面符号１０ａの記録／再生装置は、以前のバージョンの光ディスク１００ａのみを記録／再生することができ、新しいバージョンの光ディスク１００ｂに対して効率的に対応できる方法がない。これは、図面符号１０ａの記録／再生装置が設計される当時に、新しいバージョンの光ディスク１００ｂに対する規格事項が決定されていないためである。
【００６１】
したがって、前記新しいバージョンの光ディスク１００ｂを規格化する段階で、以前の記録／再生装置１０ａでも再生できるように互換性を維持することが好ましい。これを、逆互換性（"ｂａｃｋｗａｒｄ  ｃｏｍｐａｔｉｂｉｌｉｔｙ"）という。
【００６２】
一例として、前記新しいバージョンの"Ｌ−ｔｏ−Ｈ  ｍｅｄｉａ"１００ｂに記録及び未記録領域が混在されている場合、以前の記録／再生装置１０ａではシーク（ｓｅｅｋ）動作時に未記録領域の反射率を認識できないので、フォーカスサーボ（ｆｏｃｕｓ  ｓｅｒｖｏ）動作が行われなくなる。結局、新しいバージョンの"Ｌ−ｔｏ−Ｈ  ｍｅｄｉａ"１００ｂの再生を行えなくなる。
【００６３】
したがって、前記新しい記録／再生装置１０ｂで前記"Ｌ−ｔｏ−Ｈ  ｍｅｄｉａ"１００ｂにデータを記録する場合、または、"Ｌ−ｔｏ−Ｈ  ｍｅｄｉａ"１００ｂをクローズする場合、当該"Ｌ−ｔｏ−Ｈ  ｍｅｄｉａ"１００ｂが以前の記録／再生装置１０ａでも再生できるように、記録領域が最初から連続的に記録される必要がある。すなわち、"Ｌ−ｔｏ−Ｈ  ｍｅｄｉａ"１００ｂ内の未記録領域を記録領域に変更することが必要になる。
【００６４】
図２は、本発明の記録媒体の構造を例示した図である。説明の便宜上、記録媒体としては、１回記録可能なブルーレイディスク（ＢＤ−Ｒ）を例に挙げた。
【００６５】
以下では、説明の便宜上、記録層が一つであるシングルレイヤーディスクを例に挙げて説明するが、本発明は、これに限定されることなく、二つ以上の記録層を有するマルチレイヤーディスクにも同様に適用可能である。
【００６６】
本発明が適用可能な光ディスク（ＢＤ−Ｒ）は、ディスク内周からリードイン領域（Ｌｅａｄ−ｉｎ）、データ領域及びリードアウト領域（Ｌｅａｄ−ｏｕｔ）で構成される。前記データ領域内には、使用者データを記録するユーザーデータ領域と、ディスク欠陥管理のためのスペア領域としての内周スペア領域（ＩＳＡ）及び外周スペア領域（ＯＳＡ）とが含まれる。ただし、前記スペア領域は、必要によって割り当てられないこともある。
【００６７】
前記光ディスク内は、ディスククローズ前に管理情報を記録する臨時ディスク管理領域（Ｔｅｍｐｏｒａｒｙ  Ｄｉｓｃ  Ｍａｎａｇｅｍｅｎｔ  Ａｒｅａ、以下、"ＴＤＭＡ"という。）と、ディスククローズ時に最終管理情報を記録するディスク管理領域（Ｄｉｓｃ  Ｍａｎａｇｅｍｅｎｔ  Ａｒｅａ、以下、"ＤＭＡ"という。）とを含む。例えば、前記ＴＤＭＡは、リードイン領域及びスペア領域（ＩＳＡまたはＯＳＡ）内に含まれ、前記ＤＭＡは、リードイン領域及びリードアウト領域にそれぞれ含まれる。
【００６８】
前記ＴＤＭＡとＤＭＡは、次のような関係を有する。１回記録可能な光ディスク（ＢＤ−Ｒ）の特性上、ＴＤＭＡ内には、ディスク使用中に発生する欠陥管理情報だけでなく、ディスク内の記録状態を示す一般的な管理情報が混在して記録される。以後、ディスクがクローズされると、当該ディスクにはこれ以上記録できない状態になるので、前記ＴＤＭＡ内の最終管理情報がＤＭＡに移転されて記録されるようになる。したがって、ディスク使用中にはＴＤＭＡ内に管理情報が記録され、ディスクがクローズされると、ＴＤＭＡ内の最終情報がＤＭＡ内に移転されて記録される。以後、ＤＭＡ内の管理情報を活用してそのディスクは再生される。
【００６９】
前記ＴＤＭＡは、大きく二つの種類に区別される。すなわち、リードイン領域内に固定された大きさ（例えば、２０４８クラスター）を有し、ディスク初期化時にいつでも割り当てられるＴＤＭＡ０と、スペア領域内に可変的な大きさで割り当てられ、割り当て可否が選択的に決定されるＴＤＭＡ１及びＴＤＭＡ２とに区別される。また、前記ＴＤＭＡは、ＴＤＭＡ０、ＴＤＭＡ１、ＴＤＭＡ２の順に使用される。
【００７０】
図２の下部には、本発明の１回記録可能な光ディスクにおいてＴＤＭＡ内に記録される管理情報の種類を示している。ここで、ＴＤＭＡ０〜ＴＤＭＡ２には同一種類の管理情報が記録されるが、図２には、説明の便宜上、ＴＤＭＡ０に記録される場合のみを示した。
【００７１】
前記ＴＤＭＡ内に記録される管理情報は、臨時欠陥リスト（Ｔｅｍｐｏｒａｒｙ  ＤｅＦｅｃｔ  Ｌｉｓｔ:ＴＤＦＬ）、連続記録範囲情報（Ｓｅｑｕｅｎｔｉａｌ  Ｒｅｃｏｒｄｉｎｇ  Ｒａｎｇｅ  Ｉｎｆｏｒｍａｔｉｏｎ:ＳＲＲＩ）及び臨時ディスク定義構造（Ｔｅｍｐｏｒａｒｙ  Ｄｉｓｃ  Ｄｅｆｉｎｉｔｉｏｎ  Ｓｔｒｕｃｔｕｒｅ:ＴＤＤＳ）を含む。
【００７２】
具体的に説明すると、前記ＴＤＦＬは、ディスク内に発生した欠陥クラスター、及び前記欠陥クラスターを代替した代替クラスターの位置情報を含んで構成される。前記ＳＲＲＩは、ディスク内の連続記録範囲（Ｓｅｑｕｅｎｔｉａｌ  Ｒｅｃｏｒｄｉｎｇ  Ｒａｎｇｅ:ＳＲＲ）別属性を示すＳＲＲエントリーを含んで構成される。特に、前記ＳＲＲ及びＳＲＲエントリーに対しては、後で詳細に説明することにする。前記ＴＤＤＳは、ディスク構造と関連した一般的な管理情報を含み、特に、前記ＴＤＦＬ及びＳＲＲＩの最新の位置を指定するポインターを含む。
【００７３】
前記ＳＲＲＩは、ディスク記録方式が連続記録モード（Ｓｅｑｕｅｎｔｉａｌ  Ｒｅｃｏｒｄｉｎｇ  Ｍｏｄｅ：ＳＲＭ）である場合のみに記録される。ディスク記録方式がランダム記録モード（Ｒａｎｄｏｍ  Ｒｅｃｏｒｄｉｎｇ  Ｍｏｄｅ:ＲＲＭ）である場合には、前記ＳＲＲＩの代わりに、スペースビットマップ（Ｓｐａｃｅ  Ｂｉｔ−Ｍａｐ:ＳＢＭ）が他の管理情報として記録される。図２には前記ＳＢＭを示していないが、本発明の技術的思想は、ランダム記録モード（Ｒａｎｄｏｍ  Ｒｅｃｏｒｄｉｎｇ  Ｍｏｄｅ:ＲＲＭ）にも同様に適用可能である。
【００７４】
ディスクにこれ以上記録可能なユーザーデータ領域または臨時ディスク管理領域（ＴＤＭＡ）が残っていないか、または、使用者がこれ以上ディスク記録を望まない場合、ディスクがクローズされる。このとき、前記ＴＤＭＡ内に記録された管理情報のうち最終の管理情報がＤＭＡ内に移転されて記録される。
【００７５】
図３は、本発明の記録媒体内にデータが記録される方法を例示した図である。上述したように、本発明では、１回記録可能なブルーレイディスク（ＢＤ−Ｒ）を例に挙げた。
【００７６】
本発明における"記録範囲（Ｒｅｃｏｒｄｉｎｇ  Ｒａｎｇｅ）"とは、１回記録可能な光ディスク内にデータ記録のために生成された（割り当てられた）領域を意味する。上述したように、ＢＤ−Ｒでは、これを"ＳＲＲ（Ｓｅｑｕｅｎｔｉａｌ  Ｒｅｃｏｒｄｉｎｇ  Ｒａｎｇｅ）"と命名する。
【００７７】
ＳＲＲは、大きく二つの種類に区別される。まず、前記ＳＲＲ内に未記録領域が存在し、追加的に有効データを記録できるＳＲＲを"オープンＳＲＲ（ｏｐｅｎ  ＳＲＲ）"という。すなわち、オープンＳＲＲは、次回記録可能な位置（これを"ＮＷＡ（Ｎｅｘｔ  Ｗｒｉｔａｂｌｅ  Ａｄｄｒｅｓｓ）"という。）を含むＳＲＲを意味し、ＢＤ−Ｒでは、全体のディスク内にオープンＳＲＲが最大１６個まで存在可能である。したがって、記録／再生装置は、前記ディスク内に生成されたオープンＳＲＲのＮＷＡにデータを記録するようになる。次に、当該ＳＲＲ内に追加的に有効データを記録できないＳＲＲを"クローズドＳＲＲ（ｃｌｏｓｅｄ  ＳＲＲ）"という。すなわち、クローズドＳＲＲは、次回記録可能な位置（ＮＷＡ）を含まないＳＲＲを意味する。すなわち、ＳＲＲにこれ以上データを記録する領域がないか、または、記録する領域が残っているとしても、使用者などの要請によって当該ＳＲＲにこれ以上データ記録を行わない場合、オープンＳＲＲがクローズドＳＲＲに変更される。オープンＳＲＲをクローズドＳＲＲに変更する方法は、後で詳細に説明することにする。
【００７８】
以下、本発明に係るＳＲＲを用いた記録方法の一例及びセッションとの関連性を具体的に説明する。
【００７９】
"セッション（ｓｅｓｓｉｏｎ）"とは、少なくとも一つ以上のＳＲＲで構成されるＳＲＲより上位の記録単位を意味する。一般的に、光ディスク内では、マルチセッションという複数個のセッションを活用することが可能である。しかしながら、最終のセッションのみが記録可能なセッションになり、以前のセッションが全てクローズされることで、以前のセッション内に存在する全てのＳＲＲがクローズドＳＲＲに変更される。
【００８０】
例えば、ディスクの開始位置に、セッション１内にＳＲＲ＃１とＳＲＲ＃２が割り当てられてデータが記録される。以後、セッション１がクローズされ、新しいセッション２がオープンされることで、新しい記録が開始される。このとき、以前のセッション１内に存在するＳＲＲ＃１とＳＲＲ＃２がクローズドＳＲＲに変更され、セッション１内にはこれ以上記録可能なオープンＳＲＲが存在しなくなる。
【００８１】
次いで、新しく割り当てられたセッション２内にＳＲＲ＃３、ＳＲＲ＃４及びＳＲＲ＃５が割り当てられると、前記ＳＲＲ＃３〜＃５は、オープンＳＲＲとして記録可能な領域を含む。図３には、本発明の説明のために、一定区間のデータが記録された後の状態を示している。例えば、ＳＲＲ＃３及びＳＲＲ＃４に有効データが記録され、特に、ＳＲＲ＃４がホストまたは使用者によって強制的にクローズドＳＲＲに変更された場合である。すなわち、記録可能なセッション２内には、オープンＳＲＲが少なくとも一つ存在すれば充分で、全てのＳＲＲがオープンＳＲＲである必要がないことを意味する。
【００８２】
図３に示したディスクの最終記録状態は、ＴＤＭＡ内に記録されるＳＲＲＩから確認可能である。すなわち、前記ＳＲＲＩ内に記録されたヘッダ情報と各ＳＲＲ別属性を含むＳＲＲエントリーから、現在セッション２が使用中であり、セッション２内のＳＲＲ＃３とＳＲＲ＃５がオープンＳＲＲに該当し、セッション１内の全てのＳＲＲがこれ以上データ記録できないクローズドＳＲＲであることを知ることができる。各ＳＲＲは、有効なユーザーデータが記録された最後の位置を指定する"ＬＲＡ（ｌａｓｔ  ｒｅｃｏｒｄｅｄ  ａｄｄｒｅｓｓ）"情報を有する。特に、記録／再生装置は、前記オープンＳＲＲのＬＲＡ以後、最初のクラスターの位置を次回に記録可能な位置（ＮＷＡ）と判断し、当該ＮＷＡ位置からデータを記録するようになる。前記ＳＲＲエントリーの具体的な構造は、図８Ａ〜図８Ｄに基づいて詳細に説明する。
【００８３】
本発明では、クローズドＳＲＲが以前の記録／再生装置１０ａでも再生できるように、メディアの種類によってＳＲＲのクローズ方法が異なっている。例えば、ディスクのタイプが"Ｈ−ｔｏ−Ｌ  ｍｅｄｉａ"１００ａである場合、当該ＳＲＲのエントリーをＳＲＲＩのオープンエントリーリストから除去する方法で前記ＳＲＲをクローズする。一方、新しいバージョンのディスク"Ｌ−ｔｏ−Ｈ  ｍｅｄｉａ"１００ｂである場合、ＳＲＲＩのオープンエントリーから当該ＳＲＲのエントリーを除去するだけでは前記ＳＲＲがクローズされない。これは、以前の記録／再生装置１０ａで前記新しいバージョンのディスク"Ｌ−ｔｏ−Ｈ  ｍｅｄｉａ"１００ｂ上のデータを正確に認識できず、エラーが発生するためである。すなわち、逆互換性が維持されなくなる。
【００８４】
以下、図４Ａ及び図５Ｂを参照して、前記"Ｌ−ｔｏ−Ｈ  ｍｅｄｉａ"１００ｂが古いバージョンの記録／再生装置１０ａと逆互換性を維持できるＳＲＲをクローズする方法を具体的に説明する。
【００８５】
図４Ａ及び図４Ｂは、本発明によるＳＲＲをクローズする方法の一例を示した図である。説明の便宜上、図４Ａは、クローズされる前のＳＲＲ＃ｎを含むディスクを示した図で、図４Ｂは、クローズされた後のＳＲＲ＃ｎ以後のディスク状態を示した図である。また、ユーザーデータ領域に割り当てられたＳＲＲのうちＳＲＲ＃ｎをクローズする場合を例に挙げて説明する。
【００８６】
図４Ａのディスクのユーザーデータ領域は、オープンＳＲＲ＃ｎ及びオープンＳＲＲ＃ｎ＋１を含む。前記ディスク内で使用中であるＴＤＭＡ内の最近のＳＲＲＩのオープンＳＲＲエントリーリストは、ＳＲＲ＃ｎ及びＳＲＲ＃ｎ＋１のエントリーを含む。
【００８７】
図４Ｂは、本発明に係るＳＲＲをクローズした後のディスク状態を示した図である。すなわち、本発明によるＳＲＲをクローズする方法の一例によると、ＳＲＲ＃ｎは、前記ＳＲＲ＃ｎ内の全ての未記録領域を記録領域に強制的に変換することで行われる。例えば、新しい記録／再生装置１０ｂは、前記ＳＲＲ＃ｎのＬＲＡの次の位置からダミーデータを充填し、前記ＳＲＲ＃ｎのエントリーをＳＲＲＩから除去することで、前記ＳＲＲ＃ｎをクローズする。
【００８８】
ＳＲＲをクローズする図４Ｂの方法は、図１の新しいバージョンのディスク１００ｂの場合に適している。すなわち、新しいバージョンのディスク１００ｂに割り当てられたＳＲＲが古いバージョンの記録／再生装置１０ａ内で逆互換性を維持するためには、全ての未記録領域が記録領域に変更される必要がある。ＳＲＲをクローズする図４Ｂの方法は、図１の以前のバージョンのディスク１００ａの場合にも適用することができる。これは、クローズドＳＲＲにはこれ以上データ記録を行えないので、全ての未記録領域を記録領域に変更しても構わないためである。すなわち、図１の以前のバージョンのディスク１００ａに割り当てられたＳＲＲをクローズする場合には、ＳＲＲＩのオープンＳＲＲエントリーリストからそのＳＲＲを除去する方法と図４Ｂの方法が全て使用可能である。
【００８９】
図５Ａ及び図５Ｂは、本発明によるＳＲＲをクローズする方法に対する他の例を示した図である。説明の便宜上、ユーザーデータ領域に割り当てられたＳＲＲのうちＳＲＲ＃ｎをクローズする場合を例に挙げて説明する。
【００９０】
図５Ａに示すように、ＳＲＲ＃ｎのＬＲＡの次の位置、すなわち、前記ＳＲＲ＃ｎの未記録領域の開始部分に"ガード領域"が形成され、前記ガード領域内に認識情報が記録されることで、前記ＳＲＲ＃ｎがクローズされる。前記認識情報は、前記認識情報の前にあるデータが前記記録範囲で最後に記録されたユーザーデータであることを示している。
【００９１】
前記認識情報は、ガード領域内に記録された特定の有効データで構成されるか、ガード領域内に記録されたダミーデータで構成される。前記ＳＲＲ＃ｎがオープンＳＲＲでないことを示すように、使用中のＴＤＭＡ内のオープンＳＲＲエントリーリストから前記ＳＲＲ＃ｎエントリーが除去される。
【００９２】
以下、前記"ガード領域"に対して具体的に説明する。前記ガード領域は、記録／再生装置によって認識可能な領域で、例えば、少なくとも一つ以上の記録単位（例えばクラスター）で構成される。すなわち、前記ガード領域は、記録／再生装置によってガード領域として認識される多様な方法によって形成することができる。例えば、規格化された特定の大きさ（例えば、ｎ個のクラスター、ｎ＞２）のガード領域内に前記認識情報（例えば、既に決定された有効情報またはダミーデータ）を記録することで、記録／再生装置は、当該ガード領域の存在を認識できるようになる。
【００９３】
図５Ｂは、図５Ａの変形例として、前記ＳＲＲ＃ｎの未記録領域の開始部分のみならず、前記未記録領域の終了部分にもガード領域を形成し、前記ガード領域に認識情報を記録する。
【００９４】
前記ＳＲＲ＃ｎに形成されたガード領域の大きさが前記ＳＲＲ＃ｎ内の未記録領域の大きさより小さい場合、前記未記録領域の全部に認識情報を記録すればよい。
【００９５】
クローズするＳＲＲが相対的に大きい場合、前記ＳＲＲの全ての未記録領域を記録領域に変換するためには多くの時間が要される。したがって、図５Ａに基づいて説明したＳＲＲをクローズする方法によると、ＳＲＲの一部のみを記録領域に変換する場合、当該ＳＲＲのＬＲＡ以後の全ての未記録領域を記録領域に変換する方法に比べて、ＳＲＲクローズ時間を節約できるという長所がある。上述した古いバージョンの記録／再生装置１０ａは、ＳＲＲ＃ｎでガード領域が存在することを認識すると、ガード領域の後にあるデータは無視し、ガード領域の前にあるデータのみを有効に再生することで、新しいバージョンのディスク１００ｂに対しても互換的に再生できるようになる。前記ＳＲＲ＃ｎ内のガード領域の存在は、後述する図１１Ｂ及び図１１ＤのＳＲＲエントリー構造からも確認される。
【００９６】
図６は、本発明によるＳＲＲをクローズする方法を示したフローチャートで、図５Ａを参照して説明したクローズ方法を含むフローチャートである。
【００９７】
本発明の記録／再生装置は、ディスクに割り当てられたＳＲＲをクローズするという命令を受信すると、ディスクのタイプによって異なるＳＲＲクローズ方法を行う（Ｓ１０）。前記ディスクタイプは、記録層の反射率によって区分される種類を意味し、これは、ディスク内に記録された管理情報から識別可能である。例えば、ＢＤ−Ｒの場合、"ディスク情報（ｄｉｓｃ  ｉｎｆｏｒｍａｔｉｏｎ：ＤＩ）"内に記録されたピット反射率情報（例えば、"ｐｕｓｈ−ｐｕｌｌ  ｐｏｌａｒｉｔｙ"フィールド、"ｒｅｃｏｒｄｅｄ  ｍａｒｋ  ｐｏｌａｒｉｔｙ"フィールドなど）からディスクタイプを区分することが可能である。例えば、前記"ｐｕｓｈ−ｐｕｌｌ  ｐｏａｒｉｔｙフィールド"が‘０'に設定された場合、前記ディスクは"Ｈ−ｔｏ−Ｌ  ｍｅｄｉａ"１００ａで、前記"ｐｕｓｈ−ｐｕｌｌ  ｐｏａｒｉｔｙフィールド"が‘１'に設定された場合、前記ディスクは新しいバージョンのディスク１００ｂであることが識別される。他の例として、‘ｒｅｃｏｒｄｅｄ  ｍａｒｋ  ｐｏｌａｒｉｔｙフィールド"が‘０'に設定された場合、前記ディスクに記録マークが記録されていない部分より低い反射率を有するディスク（例えば、"Ｈ−ｔｏ−Ｌ  ｍｅｄｉａ"１００ａ）で、‘ｒｅｃｏｒｄｅｄ  ｍａｒｋ  ｐｏｌａｒｉｔｙフィールド"が‘１'に設定された場合、前記ディスクに記録マークが記録されていない部分より高い反射率を有するディスク（例えば、"Ｌ−ｔｏ−Ｈ  ｍｅｄｉａ"１００ｂ）であることが識別される。
【００９８】
ステップＳ１０は、ＳＲＲをクローズするという命令が受信された時点で行われる必要はなく、ディスクがロードされた後、直ぐディスク内の管理情報を確認することで行われることも可能である。
【００９９】
前記ディスクタイプの確認結果、ディスクが第１タイプ（例えば、図１の以前のバージョンの光ディスク１００ａとして"Ｈ―ｔｏ−Ｌ  ｍｅｄｉａ"）に該当する場合、現在使用中であるＴＤＭＡの最新ＳＲＲＩ内のオープンＳＲＲエントリーリストからそのＳＲＲが除去される（Ｓ１１０）。また、前記記録／再生装置は、選択的にＳＲＲ内の未記録領域を記録領域に変更することも可能である。
【０１００】
ディスクが第２タイプ（例えば、図１の新しいバージョンの光ディスク１００ｂとして"Ｌ―ｔｏ―Ｈ  ｍｅｄｉａ"）に該当する場合、ＳＲＲのＬＲＡの次の位置に一定大きさのガード領域が形成され、前記ガード領域に認識情報が記録される（Ｓ２１０）。そして、前記ディスクで使用中であるＴＤＭＡ内の最新ＳＲＲＩのオープンＳＲＲエントリーリストからそのＳＲＲが除去される（Ｓ２２０）。前記ステップＳ２１０とＳ２２０は、順序を変えても良い。
【０１０１】
図４Ａ〜図６に示されたＳＲＲをクローズする方法は、ディスク内のセッションをクローズする場合にも同様に用いられる。
【０１０２】
上述したように、本発明のディスクは、ＳＲＲまたはセッション別にクローズされることもあるが、前記ディスクにデータ記録をこれ以上行わず、再生用ディスクとしてのみ活用しようとする場合、前記ディスク自体をクローズすることもできる。以下、本発明によってディスク自体をクローズする方法に対して説明する。
【０１０３】
図７Ａ及び図７Ｂは、本発明に係る記録媒体をクローズする方法の第１実施形態を示した図である。説明の便宜上、図７Ａは、クローズされる前のディスク状態を示し、図７Ｂは、クローズされた後のディスク状態を示している。
【０１０４】
図７Ａは、ディスクのスペア領域（ＩＳＡ及びＯＳＡ）内にＴＤＭＡが割り当てられない場合を示した図である。ユーザーデータ領域内には２個のＳＲＲ＃１及びＳＲＲ＃２が割り当てられており、ディスク内の最後のＬＲＡ位置（Ａ）は、ＳＲＲ＃２内の最後のデータが記録された位置である。前記ディスク内の最後のＬＲＡ位置（Ａ）は、上述したＴＤＤＳ内に記録される。もちろん、各ＳＲＲエントリー別に、ＳＲＲ内のＬＲＡ位置が別途に記録されている。
【０１０５】
図７Ｂは、図７Ａのディスク状態で本発明の第１実施形態によってディスクをクローズした後のディスク状態を示した図である。すなわち、本発明の第１実施形態によると、前記ディスクの既存の未記録領域が記録領域に強制的に変換されず、ＴＤＭＡ内の最新情報、すなわち、最新のＴＤＤＳ、ＴＤＦＬ、ＳＲＲＩ情報をリードイン領域及びリードアウト領域内のＤＭＡ（ＤＭＡ１〜ＤＭＡ４）内に移転して記録することで、前記ディスクがクローズされる。図７Ｂには示していないが、ディスクがクローズされたことを示すインジケータをＴＤＭＡ０内に含ませることも可能である。
【０１０６】
図７Ｂに示されたディスクをクローズする方法は、図１に示された古いバージョンのディスク１００ａに適している。すなわち、古いバージョンのディスク１００ａの場合、新しい記録／再生装置１０ｂとの互換性が維持されるので、上述した第１実施形態のような方法を使用するのに何らの問題も生じない。図７Ｂに示されたディスクをクローズする方法は、図１に示された新しいバージョンのディスク１００ｂの場合には適していない。すなわち、新しいバージョンのディスク１００ｂに第１実施形態のような方法を適用すると、古いバージョンの記録／再生装置１０ａでこれを正確に認識できず、エラーが発生するようになる。すなわち、逆互換性が維持されなくなる。
【０１０７】
以下、図８Ａ〜図１０Ｂでは、前記新しいバージョンのディスク１００ｂが古いバージョンの記録／再生装置１０ａとの逆互換性を維持できるディスククローズ方法を説明する。
【０１０８】
図８Ａ及び図８Ｂは、本発明に係る記録媒体をクローズする方法の第２実施形態を示した図である。説明の便宜上、図８Ａは、クローズされる前のディスク状態を示し、図８Ｂは、クローズされた後のディスク状態を示している。
【０１０９】
図８Ａは、説明の便宜上、図７Ａで示したものと同一のディスクの状態を示した。すなわち、スペア領域（ＩＳＡ、ＯＳＡ）内にＴＤＭＡが割り当てられておらず、２個のＳＲＲ＃１及びＳＲＲ＃２がユーザーデータ領域に割り当てられており、ディスク内の最後のＬＲＡ位置（Ａ）は、ＳＲＲ＃２内の最後のデータが記録された位置になる。
【０１１０】
図８Ｂは、本発明の第２実施形態に従ってディスクをクローズした後のディスク状態を示した図である。すなわち、本発明の第２実施形態によると、既存の未記録領域が記録領域に強制的に変換され、ＴＤＭＡ内の最新情報、すなわち、最新のＴＤＤＳ、ＴＤＦＬ、ＳＲＲＩ情報がリードイン領域及びリードアウト領域内のＤＭＡ（ＤＭＡ１〜ＤＭＡ４）内に移転・記録されることで、ディスクがクローズされるようになる。図８Ａには示していないが、ディスクがクローズされたことを示すインジケータがＴＤＭＡ０内に含まれることも可能である。
【０１１１】
図８Ｂに示したディスククローズ方法は、図１に示した新しいバージョンのディスク１００ｂの場合に適している。すなわち、新しいバージョンのディスク１００ｂが古いバージョンの記録／再生装置１０ａ内で逆互換性を維持するためには、全ての未記録領域を記録領域に変更する必要がある。また、図８Ｂに示されたディスククローズ方法は、図１に示された古いバージョンのディスク１００ａの場合にも適用することができる。ディスククローズ時にはこれ以上ディスク内にデータ記録を行えないので、全ての未記録領域を記録領域に変更しても構わなくなる。すなわち、図１に示した古いバージョンのディスク１００ａの場合、図７Ｂ及び図８Ｂに示したディスククローズ方法の両方を使用可能である。
【０１１２】
図９Ａ及び図９Ｂは、本発明に係る記録媒体のクローズ方法の第３実施形態を示した図である。説明の便宜上、図９Ａには、クローズされる前のディスク状態を示し、図９Ｂには、クローズされた後のディスク状態を示した。
【０１１３】
図９Ａのディスク状態は、説明の便宜上、図７Ａのディスク状態と同一に示した。すなわち、スペア領域（ＩＳＡ及びＯＳＡ）内にＴＤＭＡが割り当てられておらず、２個のＳＲＲ＃１及びＳＲＲ＃２がユーザーデータ領域に割り当てられており、ディスク内の最後のＬＲＡ位置（Ａ）は、ＳＲＲ＃２内の最後のデータが記録された位置になる。
【０１１４】
図９Ｂは、本発明の第３実施形態によってディスクをクローズした後のディスク状態を示した図である。すなわち、本発明の第３実施形態によると、ディスク内の最後のＬＲＡ位置（Ａ）の前にある未記録領域が記録領域に強制的に変換され、ＴＤＭＡ内の最新情報、すなわち、最新のＴＤＤＳ、ＴＤＦＬ、ＳＲＲＩ情報がリードイン領域内のＤＭＡ（ＤＭＡ１、ＤＭＡ２）内に移転・記録され、前記ディスク内の最後のＬＲＡ位置（Ａ）に特定の認識情報が記録されることで、ディスクがクローズされるようになる。例えば、ＬＲＡ位置（Ａ）に"ガード領域"が形成され、前記ガード領域内に認識情報が記録されることもある。前記認識情報は、ガード領域内に記録された特定の有効なデータで構成されるか、または、ガード領域内に記録されたダミーデータで構成される。また、図９Ｂには示していないが、ディスクがクローズされたことを示すインジケータがＴＤＭＡ０内に含まれることも可能である。
【０１１５】
上述した古いバージョンの記録／再生装置１０ａは、ガード領域が存在することを認識すると、ガード領域の後にあるデータは無視し、ガード領域の前にあるデータのみを有効に再生することができる。結局、前述の古いバージョンの記録／再生装置１０ａが互換性を有して、新しいバージョンのディスク１００ｂからもデータを再生できるようになる。ガード領域の存在は、後述する図１１Ｂ及び図１１ＤのＳＲＲエントリー構造からも確認される。
【０１１６】
本発明の第３実施形態に従ってディスクをクローズする方法は、特に、ディスクをクローズする時間を短縮しようとする場合に有用である。すなわち、以前の記録／再生装置１０ａで新しいバージョンのディスク１００ｂが逆互換性を維持するためには、全ての未記録領域を記録領域に変更する必要がある。ただし、有効データが存在しない未記録領域まで全て記録領域に変更する場合、多くの時間が要求されるので、ディスク内の最後のＬＲＡ位置（Ａ）の前にある未記録領域のみを記録領域に変更し、ディスク内の最後のＬＲＡ位置（Ａ）にはガード領域（guａrdａreａ）を形成する。したがって、古いバージョンの記録／再生装置１０ａが新しいバージョンのディスク１００ｂからデータを再生する場合、当該ガード領域の前にあるデータのみを有効に認識して再生できるようになる。本実施例によってディスクをクローズする場合、前記形成されたガード領域の後に存在するＤＭＡ（リードアウト領域内のＤＭＡ３及びＤＭＡ４）内には情報を記録する必要がない。したがって、本実施形態によってクローズされたディスクでは、リードイン領域内のＤＭＡ（ＤＭＡ１及びＤＭＡ２）のみが活用される。
【０１１７】
図１０Ａ及び図１０Ｂは、本発明に係る記録媒体をクローズする方法の第４実施形態を示した図である。図１０Ａ及び図１０Ｂは、本発明の第３実施形態（図９Ｂ）によってディスクをクローズする方法の変形的使用例に該当する。
【０１１８】
本発明の第３実施形態（図９Ｂ）でディスク内の最後のＬＲＡ位置（Ａ）の前にある未記録領域が全て記録領域に変更されることに比べて、本発明の第４実施形態では、ディスク内の最後のＬＲＡ位置（Ａ）と直ぐ前のＬＲＡ位置（Ｂ）とを互いに比較することで、ガード領域が形成される位置（またはＳＲＲ）が決定される。
【０１１９】
前記決定された位置の後に位置する有効データは、ユーザーデータ領域内で前記決定された位置の前に位置する未記録領域に移転されるようになる。特に、前記決定された位置の後に位置する有効データは、前記ディスクがクローズされる前にオープンＳＲＲの未記録領域に連続的に記録される。前記ユーザーデータを移転した後に残っている未記録領域、及び前記ディスクがクローズされる前に既にクローズされたＳＲＲ内の未記録領域は、ディスクのクローズ中にダミーデータで充填される。また、本発明の第４実施形態は、論理的重畳記録（ｌｏｇｉｃａｌ  ｏｖｅｒｗｒｉｔｅ：以下、"ＬＯＷ"という。）方式を活用し、前記決定された位置の後に位置する有効データを移転する方式を提供する。前記移転に関する情報は、欠陥領域を管理する方法と同一の方法によって前記記録媒体の管理領域に記録される。
【０１２０】
以下、図１０Ａ及び図１０Ｂを参照して本発明の第４実施形態を詳細に説明する。
【０１２１】
図１０Ａ及び図１０Ｂは、本発明の第４実施例によってディスクをクローズした後のディスク状態を示した図である。
【０１２２】
図１０Ａでは、ディスク内の最外周に位置したＳＲＲをＳＲＲ＃ｎと仮定し、その前のＳＲＲをＳＲＲ＃（ｎ−１）と仮定する。また、前記ＳＲＲ＃ｎ以後のスペア領域（ＯＳＡ）内には、欠陥管理のために代替記録されたデータが存在すると仮定する。
【０１２３】
上記のようなディスク状態でディスクがクローズされる場合、前記ＳＲＲ＃ｎ内のＬＲＡ位置（Ａ）とＳＲＲ＃（ｎ−１）内のＬＲＡ位置（Ｂ）とを比較し、どの位置にガード領域を形成するかが決定される。例えば、前記ＬＲＡ位置（Ａ）とＬＲＡ位置（Ｂ）との間の未記録領域の大きさが基準値（例えば、Ｌ個のクラスター）より大きい場合、前記ＬＲＡ位置（Ｂ）が存在するＳＲＲ＃（ｎ−１）にガード領域が形成される。その反面、前記ＬＲＡ位置（Ａ）とＬＲＡ位置（Ｂ）との間の未記録領域の大きさが基準値（例えば、Ｌ個のクラスター）より小さい場合、前記ＬＲＡ位置（Ａ）が存在するＳＲＲ＃ｎにガード領域が形成される。したがって、未記録領域全体を記録領域に変更するのに要される時間を減少させることが可能になる。したがって、前記基準値（例えば、Ｌ個のクラスター）は、所要時間を考慮した上で、システム別に自由に設定して運営することが好ましい。前記"クラスター"は、ディスク内の記録単位を意味するもので、特に、ＢＤ−Ｒでエラー訂正コード（ＥＣＣ）が適用される最小記録単位を意味する。
【０１２４】
本発明の第４実施形態において、ガード領域が形成されるＳＲＲは、システムによって多様に決定することができ、これは、本発明の変形例に該当する。例えば、前記ＬＲＡ位置（Ａ）とＬＲＡ位置（Ｂ）とを比較する代わりに、ＳＲＲ＃（ｎ−１）内の未記録領域の大きさ（ａ）とＳＲＲ＃ｎ内の記録領域の大きさ（ｂ）とを比較し、ガード領域が形成されるＳＲＲの位置を決定することもできる。すなわち、ＳＲＲ＃（ｎ−１）のＬＲＡ位置（Ｂ）からＳＲＲ＃ｎの開始アドレスまでがＳＲＲ＃（ｎ−１）内の未記録領域の大きさ（ａ）になり、前記ＳＲＲ＃ｎの開始アドレスからＳＲＲ＃ｎのＬＲＡ位置（Ａ）までがＳＲＲ＃ｎの記録領域の大きさ（ｂ）に該当する。したがって、前記ＳＲＲ＃（ｎ−１）の未記録領域の大きさ（ａ）とＳＲＲ＃ｎの記録領域の大きさ（ｂ）との差が基準値より大きい場合、ＳＲＲ＃（ｎ−１）にガード領域が形成され、前記ＳＲＲ＃（ｎ−１）の未記録領域の大きさ（ａ）とＳＲＲ＃ｎの記録領域の大きさ（ｂ）との差が基準値より小さい場合、ＳＲＲ＃ｎにガード領域が形成される。
【０１２５】
上記のような多様な方法を通して、ＬＲＡ位置（Ｂ）が存在するＳＲＲ＃（ｎ−１）にガード領域を形成することに決定されると、ＳＲＲ＃ｎ及びＯＳＡ内に記録された有効データが前記ＬＲＡ位置（Ｂ）の次に移転（記録）される。次いで、上述したガード領域が前記移転されたデータの後に形成される。したがって、ガード領域の後に存在する有効データは、ガード領域を形成する前に移転される必要がある。例えば、ＢＤ−Ｒにおいて、前記移転は上述したＬＯＷ方式によって行われ、ＬＯＷに関する情報（すなわち、元の位置情報及び移転された位置情報）は、欠陥領域が管理される場合と同一の方式で欠陥リスト（ＴＤＦＬ）に記録される。
【０１２６】
ディスクのクローズが完了すると、前記ＬＯＷ方式によって代替された最後の有効データの位置がディスクの新しい最終ＬＲＡ位置（Ｃ）になる。すなわち、前記ガード領域は、ＬＲＡ位置"Ｃ"の次に形成される。
【０１２７】
図１０Ａには示していないが、ＳＲＲ＃ｎまたはＳＲＲ＃（ｎ−１）にガード領域を形成することが決定されると、前記ＯＳＡ内の有効データをガード領域形成前にＳＲＲ＃ｎまたはＳＲＲ＃（ｎ−１）に代替記録すべきである。この場合、ＳＲＲ＃ｎまたはＳＲＲ＃（ｎ−１）の未記録領域が、前記ＯＳＡ内の有効データが記録されるほどに充分でない場合には、前記ＯＳＡ内にガード領域を形成することが好ましい。
【０１２８】
図１０Ｂは、図１０Ａと同一の状態で、例えば、スペア領域（ＯＳＡ）内にＴＤＭＡが割り当てられている場合を示した図である。すなわち、上述したようにガード領域が形成されるＳＲＲ以後の全ての有効データは、ＬＯＷ方式によってガード領域の前の位置に代替記録されるべきである。しかしながら、前記ＴＤＭＡ内に記録された有効データは、前記ディスクをクローズするときに前記ＤＭＡ内に移転・記録されるので、前記ＴＤＭＡ内に記録された有効データは、前記ガード領域の前の位置に代替記録される必要がない。すなわち、前記ディスクをクローズするとき、前記ＴＤＭＡ内の最新情報がＤＭＡ内に移転・記録される。
【０１２９】
図１０Ａ及び図１０Ｂには示していないが、前記ＳＲＲ＃ｎまたはＳＲＲ＃（ｎ−１）の後に位置する有効データは、前記ＳＲＲ＃ｎの前にある他のオープンＳＲＲに移転されることもある。
【０１３０】
本発明の第４実施形態（図１０Ａ及び図１０Ｂ）は、次の場合に特に有用である。特定の光ディスク、例えば、図１の新しいバージョンのディスク１００ｂにおいて、ユーザーデータ領域の最外周に記録範囲（例えば、前記"ＳＲＲ＃ｎ"）が割り当てられ、前記記録範囲に割り当てられたＳＲＲにファイルシステム情報が記録される。この場合、最外周のＳＲＲ＃ｎと直ぐ前のＳＲＲ＃（ｎ−１）は、物理的に相当に離れた地点にそれぞれ位置するようになる。したがって、このような物理的構造下でディスクをクローズすると、上述した本発明の第２実施例（図８Ｂ）または第３実施例（図９Ｂ）が前記ディスクに適用されるとしても、結局、ＳＲＲ＃ｎとＳＲＲ＃（ｎ−１）との間の未記録領域が全て記録領域に変更されるべきで、前記ディスクをクローズする時間が増加するようになる。すなわち、本発明の第４実施形態によると、逆互換性を維持しながらも、ディスクをクローズする時間を短縮することができる。
【０１３１】
図１０Ｃは、本発明による記録媒体のクローズ方法に対する第５実施形態を示した図である。図１０Ｃでは、各ＳＲＲをクローズする方法を記録媒体のクローズに応用している。
【０１３２】
記録媒体をクローズする場合、前記記録媒体内の全てのＳＲＲがクローズされるべきである。例えば、上述した図８Ｂ、図９Ｂ及び図１０Ａにおいて、クローズドＳＲＲ内の未記録領域が記録領域に変更される必要性がある。記録媒体内の全てのＳＲＲの未記録領域を同時に記録領域に変更するためには、多くの時間が要求される。図１０Ｃは、記録媒体をクローズするのに多くの時間が要求されるという問題点を解決するための方法に関している。図１０Ｃの方法は、一つのクローズドＳＲＲを例示したものである。以下、図１０Ｃを参照して、ＳＲＲ＃ｍをクローズドＳＲＲに変更する方法を詳細に説明する。
【０１３３】
図１０Ｃは、記録媒体をクローズする時に記録媒体内の未記録領域全体を記録領域に変更するよりも、記録／再生装置が特別な機能を行わないアイドル状態の間に、クローズドＳＲＲ内の未記録領域を記録領域に変更する方法を示した図である。以下、説明の便宜上、図１０Ｃの方式を上述した"バックグラウンドクローズ"と命名する。
【０１３４】
例えば、最初のＳＲＲ＃ｍにはＬＲＡ位置まで有効データが記録されており、残りの領域は未記録状態にあると仮定する。前記状態でＳＲＲ＃ｍをクローズするための多様な原因が発生すると（上位セッションをクローズしたり、ＳＲＲのみをクローズする場合）、記録／再生装置は、前記ＳＲＲ＃ｍの未記録領域を直ちに記録領域に変更しない。前記記録／再生装置は、前記記録／再生装置が特別な機能を行わないアイドル状態であるとき、クローズドＳＲＲ内の前記ＬＲＡ位置からダミーデータを記録し、バックグラウンドクローズを行うようになる。バックグラウンドクローズを行う間にインタラプトが発生すると、現在遂行中のバックグラウンドクローズが終了され、インタラプト信号に対応する動作（例えば、記録または再生動作）が行われる。
【０１３５】
本発明によると、記録媒体をクローズする前に、クローズドＳＲＲに対して予め前記バックグラウンドクローズ方式を行うことによって、実際に記録媒体をクローズする時間を短縮できるという長所がある。バックグラウンドクローズ方式によってクローズドＳＲＲ内の全ての記録領域が記録領域に変更された場合、実際に記録媒体をクローズするときには、オープンＳＲＲ内の未記録領域のみを記録領域に変更することによって記録媒体のクローズが完了する。
【０１３６】
バックグラウンドクローズが中断された位置は、ＬＷＡ（ｌａｓｔ  ｒｅｃｏｒｄｅｄａｄｄｒｅｓｓ）情報などの別途の管理情報によって定義され、前記記録／再生装置内のメモリ（図１２の図面符号１５）に保存される。以後、バックグラウンドクローズが再び行われると、前記保存されたＬＷＡ位置からバックグラウンドクローズが再開される。ＳＲＲエントリー内に前記バックグラウンドクローズと関連した情報が設定されることも可能である。これに対しては、図１１Ｃ及び図１１Ｄを参照して後で詳細に説明する。
【０１３７】
図１１Ａ及び図１１Ｄは、本発明による管理情報を記録する例を示した図である。すなわち、上述したＳＲＲＩ内の各ＳＲＲエントリーの構造を示した図である。
【０１３８】
図１１Ａは、本発明に係るＳＲＲエントリー構造の一例を示した図である。一つのＳＲＲエントリーは、ユーザーデータ領域内に形成された特定のＳＲＲと一対一に対応する情報である。前記ＳＲＲエントリーは、総８バイトで構成されており、前記ＳＲＲの属性を示す次のような情報を有する。例えば、"Ｓｔａｒｔ  ＰＳＮ  ｏｆ  ｔｈｅ  ＳＲＲ＃ｉ"フィールドは、前記ＳＲＲの開始アドレス位置を示す情報として、物理的セクターナンバー（ＰＳＮ）値を有する。また、"ＬＲＡ  ｉｎ  ｔｈｅ  ＳＲＲ＃ｉ"フィールドは、上述したように、前記ＳＲＲ内に最後に記録されたユーザーデータの位置を示す情報として、これもＰＳＮ値を有する。１ビットの"Ｓｅｓｓｉｏｎ  ｓｔａｒｔ"フラグ情報は、前記ＳＲＲが特定のセッションの開始ＳＲＲであるかどうかを示す情報として活用される。また、"Ｆｉｌｌｅｄ−ｕｐ  ｆｌａｇ"情報は、前記ＳＲＲに未記録領域が存在するかどうかを示す情報として活用される。すなわち、"Ｆｉｌｌｅｄ−ｕｐ  ｆｌａｇ＝１ｂ"であると、前記ＳＲＲに未記録領域が存在しないことを意味し、"Ｆｉｌｌｅｄ−ｕｐ  ｆｌａｇ＝０ｂ"であると、前記ＳＲＲに未記録領域が存在することを意味すると定義することができる。
【０１３９】
前記"Ｆｉｌｌｅｄ−ｕｐ  ｆｌａｇ"は、上述した本発明のディスククローズ方法のうち第２実施形態（図８Ｂ）、第３実施形態（図９Ｂ）、第４実施形態（図１０Ａ、図１０Ｂ）及び第５実施形態（図１０Ｃ）で活用される。すなわち、前記ＳＲＲ内の未記録領域を記録領域に変更すべきである場合、前記"Ｆｉｌｌｅｄ−ｕｐ  ｆｌａｇ"を確認し、未記録領域が残っているＳＲＲに対して記録領域に変更する動作を行えるようになる。オープンＳＲＲは、常に"Ｆｉｌｌｅｄ−ｕｐ  ｆｌａｇ＝０ｂ"にし、未記録領域が存在することを表示するようになる。その反面、クローズドＳＲＲでは、未記録領域の存在可否によって"０ｂ"または"１ｂ"のうち何れか一つに前記"Ｆｉｌｌｅｄ−ｕｐ  ｆｌａｇ"が設定される。特に、光ディスク規格でオープンＳＲＲがクローズドＳＲＲに変更されるとき、未記録領域を記録領域に変更することを記録／再生装置別に選択的事項として規定した場合、前記"Ｆｉｌｌｅｄ−ｕｐ  ｆｌａｇ"は、記録領域への変更が必要なクローズドＳＲＲを表示する情報としても活用される。
【０１４０】
特に、図１０Ｃによるバックグラウンドクローズを行う場合、記録／再生装置は、前記ＳＲＲエントリー内の"Ｆｉｌｌｅｄ−ｕｐ  ｆｌａｇ＝１ｂ"であるクローズドＳＲＲのうち、未記録領域が存在するＳＲＲを探し、バックグラウンドクローズを行うようになる。バックグラウンドクローズが完了され、全ての未記録領域が記録領域に変更されると、前記"Ｆｉｌｌｅｄ−ｕｐ  ｆｌａｇ"を"０ｂ"に設定し、未記録領域が残っていないことを表示するようになる。
【０１４１】
図１１Ｂは、本発明に係るＳＲＲエントリー構造の他の例を示した図である。すなわち、"Ｓｔａｒｔ  ＰＳＮ  ｏｆ  ｔｈｅ  ＳＲＲ＃ｉ"フィールド、"ＬＲＡ  ｉｎ  ｔｈｅ  ＳＲＲ＃ｉ"フィールド、"Ｓｅｓｓｉｏｎ  ｓｔａｒｔ"フラグ情報、及び"Ｆｉｌｌｅｄ−ｕｐ  ｆｌａｇ"は、上述した図１１Ａの場合と同一である。図１１Ｂは、図１１Ａと比較したとき、追加的に"Ｇｕａｒｄ  ａｒｅａ  ｆｌａｇ"を備えており、前記ＳＲＲに上述したガード領域が存在するかどうかを示す情報として活用する。すなわち、"Ｇｕａｒｄ  ａｒｅａ  ｆｌａｇ＝０ｂ"であると、前記ＳＲＲにガード領域が存在することを意味し、"Ｇｕａｒｄ  ａｒｅａ  ｆｌａｇ＝１ｂ"であると、前記ＳＲＲにガード領域が存在しないことを意味する。したがって、前記"Ｇｕａｒｄ  ａｒｅａ  ｆｌａｇ"情報は、前記記録媒体内の有効ユーザーデータを含む最後の記録範囲を識別するのに使用される。
【０１４２】
前記"Ｇｕａｒｄ  ａｒｅａ  ｆｌａｇ"は、上述した本発明のディスククローズ方法のうち、特に、ガード領域の形成と関連した第３実施形態（図９Ｂ）及び第４実施形態（図１０Ａ及び図１０Ｂ）で有用に活用される。すなわち、ディスククローズ時に特定のＳＲＲにガード領域を形成した場合、前記ＳＲＲエントリー内の"Ｇｕａｒｄ  ａｒｅａ  ｆｌａｇ＝０ｂ"に設定することで、以後、前記ディスクが他の記録／再生装置に挿入されるとき、当該記録／再生装置は、ＤＭＡ内に記録された最終のＳＲＲエントリーから、現在挿入された光ディスク内のガード領域が形成されたＳＲＲの位置を容易に確認できるようになる。したがって、前記確認されたガード領域の前にあるデータのみが有効に再生されるようになる。
【０１４３】
"Ｆｉｌｌｅｄ−ｕｐ  ｆｌａｇ"は第１識別情報と命名され、"Ｇｕａｒｄ  ａｒｅａ  ｆｌａｇ"は第２識別情報と命名される。この場合、記録／再生装置は、第１識別情報（"Ｆｉｌｌｅｄ−ｕｐ  ｆｌａｇ"）を用いて前記ディスクをクローズするとき、前記未記録領域を記録領域に効率的に変更することができ、第２識別情報（"Ｇｕａｒｄ  ａｒｅａ  ｆｌａｇ"）を用いて前記ディスクをクローズした後、ディスク内の最後の有効データが記録された位置を確認することも可能である。
【０１４４】
図１１Ｃは、本発明に係るＳＲＲエントリー構造の他の例を示した図である。"Ｓｔａｒｔ  ＰＳＮ  ｏｆ  ｔｈｅ  ＳＲＲ＃ｉ"フィールド、"ＬＲＡ  ｉｎ  ｔｈｅ  ＳＲＲ＃ｉ"フィールド、"Ｓｅｓｓｉｏｎ  ｓｔａｒｔ"フラグ情報、及び"Ｆｉｌｌｅｄ−ｕｐ  ｆｌａｇ"は、上述した図１１Ａの場合と同一である。図１１Ｃの実施例は、図１１Ａに比べて、追加的に"ｂｇ（ｂａｃｋｇｒｏｕｎｄ）−ｐｒｏｃｅｓｓ  ｆｌａｇ"を備えており、当該ＳＲＲに上述した図１０Ｃのバックグラウンドクローズが行われていることを示す情報として活用する。すなわち、"ｂｇ（ｂａｃｋｇｒｏｕｎｄ）−ｐｒｏｃｅｓｓ  ｆｌａｇ＝１ｂ"であると、ＳＲＲにバックグラウンドクローズが行われていることを意味し、"ｂｇ（ｂａｃｋｇｒｏｕｎｄ）−ｐｒｏｃｅｓｓ  ｆｌａｇ＝０ｂ"であると、ＳＲＲにバックグラウンドクローズが行われていないことを意味する。
【０１４５】
前記"ｂｇ−ｐｒｏｃｅｓｓ  ｆｌａｇ"は、上述した本発明のディスククローズ方法のうち、バックグラウンドクローズと関連した第５実施形態（図１０Ｃ）で特に有用に活用される。例えば、特定のクローズドＳＲＲでバックグラウンドクローズを行う途中、外部インタラプトによってバックグラウンドクローズを終了する場合、ＳＲＲがバックグラウンドクローズを行っていたことを示すように、"ｂｇ−ｐｒｏｃｅｓｓ  ｆｌａｇ"を"１ｂ"に設定するようになる。以後、記録媒体が他の記録／再生装置内に挿入されると、ＳＲＲＩ内のＳＲＲエントリー情報を確認することによって、以前にバックグラウンドクローズが行われていたＳＲＲを容易に確認できるようになる。
【０１４６】
図１１Ｄは、本発明に係るＳＲＲエントリー構造の他の例を示した図である。図１１Ｄは、図１１Ａ〜図１１Ｃに基づいて詳細に説明した"Ｆｉｌｌｅｄ−ｕｐ  ｆｌａｇ"、"Ｇｕａｒｄ  ａｒｅａ  ｆｌａｇ"及び"ｂｇ（ｂａｃｋｇｒｏｕｎｄ）−ｐｒｏｃｅｓｓ  ｆｌａｇ"を全てＳＲＲエントリー内に設定することを特徴とする。各フラグ情報の具体的な意味は上述した通りであるので、それに対する説明は省略する。
【０１４７】
図１２は、本発明の記録／再生装置を示した図である。本発明の記録／再生装置は、光ディスクにデータを記録したり、記録されたデータを再生する記録／再生部２０と、これを制御する制御器１２とを含んで構成される。図１２に示した記録／再生装置は、図１の記録／再生装置１０ａ，１０ｂの全てに該当する。
【０１４８】
前記記録／再生部２０は、光ディスクにデータを直接的に記録したり、光ディスクに記録されたデータを読み出すピックアップ部１１と、ピックアップ部１１から読み出された信号を受信して所望の信号値に復元したり、記録される信号を光ディスクに記録される信号に変調して伝達する信号処理部１３と、光ディスクから正確に信号を読み出すか、光ディスクに信号を正確に記録するためにピックアップ部１１を制御するサーボ１４と、欠陥管理情報を含む管理情報及びデータを一時保存するメモリ１５と、前記各構成要素の制御を担当するマイコン１６とを含んで構成される。ここで、前記記録／再生部２０のみで構成された記録／再生装置は、ドライバーともいい、コンピュータ周辺機器として活用される。
【０１４９】
再生の観点で、前記記録／再生部２０は、制御器１２の制御によって光ディスク３０からデータを読み込んでデコーダーに提供する。すなわち、前記記録／再生部２０は、再生の観点ではデータを読み込む再生部（またはリーダ部）の役割をする。記録の観点で、前記記録／再生部２０は、ＡＶエンコーダー１８によってエンコーディングされた信号を受けて、データを光ディスク３０に記録する記録部になる。前記記録／再生部２０のみで構成された記録／再生装置がコンピュータに内蔵可能な"ドライブ"になり得ることは、既に広く知られた事実である。
【０１５０】
制御器１２は、前記記録／再生装置内の全体構成要素の制御を担当する。前記制御器１２は、使用者命令などを参照して、光ディスクにデータを記録または再生するための記録／再生命令をインターフェースを通して前記記録／再生部２０に伝送する。併せて、前記制御器１２は、使用者命令などによって光ディスクの外部に存在する外部サーバーとネットワーキングを行うこともある。
【０１５１】
前記制御器１２と前記マイコン１６は別々に動作する。また、前記制御器１２とマイコン１６の機能が統合され、一つの制御部として動作することも可能である。以下、前記制御器１２及び／またはマイコン１６を制御部と称することにする。前記制御部は、記録／再生装置内に備わるプログラム（ソフトウェア）及び／またはハードウェアで構成される。
【０１５２】
デコーダー１７は、制御部の制御によって光ディスクから読み出された信号をデコーディングし、これを所望の情報に復元して使用者に提供する。
【０１５３】
エンコーダー１８は、光ディスクに信号を記録する機能を行うために、制御部の制御によって入力信号を特定のフォーマットの信号、例えば、ＭＰＥＧ２トランスポートストリームに変換して信号処理部１３に提供する。
【０１５４】
以下、本発明の記録／再生装置を活用した記録媒体の記録／再生方法、管理情報の記録方法及び記録媒体のクローズ方法に対して、図１３Ａ及び図１３Ｂ、図１４Ａ〜図１４Ｃ及び図１５を参照して詳細に説明する。
【０１５５】
図１３Ａは、本発明によって記録媒体にデータを記録したり、記録媒体からデータを再生する方法を示したフローチャートである。
【０１５６】
ディスクが記録／再生装置内にロードされると、当該ディスクが既にクローズされた状態であるかどうかが確認される（Ｓ１００）。
【０１５７】
ディスクがクローズされた状態である場合、ＤＭＡ内に記録された管理情報から、現在ディスク内にガード領域が存在するＳＲＲの位置を確認する（Ｓ１０１）。前記ステップＳ１０１は、上述したように、ＤＭＡ内に記録されたＳＲＲエントリーのうち"Ｇｕａｒｄ  ａｒｅａ  ｆｌａｇ＝０ｂ"に設定されたＳＲＲエントリーを確認することによって行われる。したがって、記録／再生装置は、前記ガード領域の前に記録されたデータのみを再生するようになる（Ｓ１０３）。
【０１５８】
また、ディスクがクローズされた状態でない場合、ＴＤＭＡ内に記録された管理情報から、現在ディスクの記録状態が確認される（Ｓ１０２）。前記ステップＳ１０２は、上述したように、ＴＤＭＡ内に記録された最新のＳＲＲＩ情報からオープンＳＲＲ及びクローズドＳＲＲの位置及び各ＳＲＲエントリーを確認することによって行われる。したがって、記録／再生装置は、使用者などの要請がある場合、前記オープンＳＲＲ内のＮＷＡ位置でデータ記録動作を行ったり、ディスク内に記録された全てのデータに対する再生動作を行う（Ｓ１０４）。
【０１５９】
図１３Ｂは、本発明による記録媒体に管理情報を記録する方法を示したフローチャートである。
【０１６０】
ディスクの記録／再生途中にオープンＳＲＲがクローズされると、まず、クローズドＳＲＲ内に未記録領域が存在するかどうかが判断される（Ｓ２００）。前記ステップＳ２００は、最初に割り当てられたＳＲＲの大きさで現在記録された領域の位置を比較することによって行われる。前記判断結果、ＳＲＲがクローズされた後に未記録領域が存在すると、そのＳＲＲエントリー内の"Ｆｉｌｌｅｄ−ｕｐ  ｆｌａｇ"を"０ｂ"に設定し、そのクローズされたＳＲＲ内に未記録領域が存在することが表示される（Ｓ２０１）。また、未記録領域が存在しない場合、ＳＲＲエントリー内の"Ｆｉｌｌｅｄ−ｕｐ  ｆｌａｇ"を"１ｂ"に設定し、そのクローズされたＳＲＲ内に未記録領域が存在しないことが表示される（Ｓ２０２）。
【０１６１】
上記のように設定された"Ｆｉｌｌｅｄ−ｕｐ  ｆｌａｇ"を活用することで、以後にディスクをクローズするとき、未記録領域が存在するＳＲＲ（すなわち、"Ｆｉｌｌｅｄ−ｕｐ  ｆｌａｇ＝０ｂ"に設定されたＳＲＲ）に対してのみその未記録領域を記録領域に変更することが可能になる。また、"Ｆｉｌｌｅｄ−ｕｐ  ｆｌａｇ＝０ｂ"であるＳＲＲに対しては、上述した図１０Ｃのバックグラウンドクローズ方式が適用される。
【０１６２】
図１４Ａ〜図１４Ｃは、本発明によって記録媒体をクローズする方法を示したフローチャートである。
【０１６３】
図１４Ａは、本発明によって記録媒体をクローズする方法に対する一例を示した図で、特に、上述した第２実施例（図８Ｂ）を含むフローチャートである。
【０１６４】
例えば、ディスククローズ命令が受信されると、どのタイプのディスクがロードされたかが確認される（Ｓ１０）。前記ステップＳ１０は、ディスクをクローズする命令が受信された時点で判断されるべきではない。ディスクがロードされた直後に、そのディスク内の管理情報から前記ディスクのタイプが確認されることも可能である。これは、後述する図１４Ｂ及び図１４Ｃにも同様に適用される。
【０１６５】
ディスクが第１タイプ（例えば、図１の以前のバージョンの光ディスク１００ａとして"Ｈ−ｔｏ−Ｌ  ｍｅｄｉａ"）に該当する場合、ＴＤＭＡ内に記録された最新情報（例えば、最終のＴＤＤＳ、ＴＤＦＬ、ＳＲＲＩ）がＤＭＡに移転・記録される（Ｓ１１）。以後、ＴＤＭＡ内のディスククローズインジケータは、当該ディスクがクローズされたことを表示するようになる。前記記録／再生装置は、選択的に前記ディスク内の未記録領域を記録領域に変更することも可能である。
【０１６６】
ディスクが第２タイプ（例えば、図１の新しいバージョンの光ディスク１００ｂとして"Ｌ−ｔｏ−Ｈ  ｍｅｄｉａ"）に該当する場合、ＴＤＭＡ内に記録された最新情報（例えば、最終のＴＤＤＳ、ＴＤＦＬ、ＳＲＲＩ）がＤＭＡに移転・記録される一方（Ｓ２１）、前記ディスク内の未記録領域が全て記録領域に変更される（Ｓ２２）。前記ステップＳ２２が先に行われ、その後に前記ステップＳ２１が行われても構わない。前記ステップＳ２２の途中に未記録領域を記録領域に変更することは、ピットが形成された領域であることを示すように未記録領域にダミーデータを記録することによって行われる。前記ＴＤＭＡ内のディスククローズインジケータは、前記ディスクがクローズされたことを表示するようになる。
【０１６７】
ディスクが完全にクローズされる前に、ＳＲＲエントリー内の第１及び／または第２識別情報（例えば、"Ｆｉｌｌｅｄ−ｕｐ  ｆｌａｇ"または"Ｇｕａｒｄ−ａｒｅａ  ｆｌａｇ"）が所定の値に設定されるべきであることは自明である。
【０１６８】
図１４Ｂは、本発明に係る記録媒体をクローズする方法の他の例を示した図で、特に、上述した第３実施形態（図９Ｂ）を含むフローチャートである。
【０１６９】
例えば、ディスクをクローズする命令が受信されると、どのタイプのディスクがロードされたかが確認される（Ｓ１０）。ディスクが第１タイプ（例えば、図１の以前のバージョンの光ディスク１００ａとして"Ｈ−ｔｏ−Ｌ  ｍｅｄｉａ"）に該当する場合、ＴＤＭＡ内に記録された最新情報（例えば、最終のＴＤＤＳ、ＴＤＦＬ、ＳＲＲＩ）がＤＭＡに移転・記録される（Ｓ１１）。以後、ＴＤＭＡ内のディスククローズインジケータに、ディスクがクローズされたことを表示するようになる。また、記録／再生装置は、選択的にディスク内の未記録領域を記録領域に変更することも可能である。
【０１７０】
ディスクが第２タイプ（例えば、図１の新しいバージョンの光ディスク１００ｂとして"Ｌ−ｔｏ−Ｈ  ｍｅｄｉａ"）に該当する場合、ＴＤＭＡ内に記録された最新情報（例えば、最終のＴＤＤＳ、ＴＤＦＬ、ＳＲＲＩ）をＤＭＡに移転・記録し（Ｓ３１）、ディスク内の最後のＬＲＡ位置（Ａ）の前にある未記録領域を全て記録領域に変更する（Ｓ３２）。また、前記ステップＳ３２で未記録領域を記録領域に変更することは、例えば、未記録領域にダミーデータを記録し、ピットが形成された領域であることを示すことで充分である。また、前記ディスク内の最後のＬＲＡ位置（Ａ）に、有効データが存在する最後の位置であることを表示する認識情報を記録する（Ｓ３３）。前記認識情報は、例えば、上述したガード領域を形成することを意味する。前記ステップＳ３１、Ｓ３２及びＳ３３は、互いに遂行順序を変えても構わない。
【０１７１】
ディスクをクローズする処理が完全に終了される前に、上述したＳＲＲエントリー内の第１及び／または第２識別情報（例えば、"Ｆｉｌｌｅｄ−ｕｐ  ｆｌａｇ"または"Ｇｕａｒｄ−ａｒｅａ  ｆｌａｇ"）にその値が設定されるべきであることは自明である。
【０１７２】
図１４Ｃは、本発明に係る記録媒体をクローズする方法の他の例を示した図で、特に、上述した第４実施形態（図１０Ａ及び図１０Ｂ）を含むフローチャートである。
【０１７３】
例えば、ディスクをクローズするという命令が受信されると、どのタイプのディスクがロードされたかが確認される（Ｓ１０）。前記ディスクが第１タイプ（例えば、図１の以前のバージョンの光ディスク１００ａとして"Ｈ−ｔｏ−Ｌ  ｍｅｄｉａ"）に該当する場合、ＴＤＭＡ内に記録された最新情報（例えば、最終のＴＤＤＳ、ＴＤＦＬ、ＳＲＲＩ）がＤＭＡに移転・記録される（Ｓ１１）。以後、ＴＤＭＡ内のディスククローズインジケータは、前記ディスクがクローズされたことを表示するようになる。前記記録／再生装置は、選択的にディスク内の未記録領域を記録領域に変更することもできる。
【０１７４】
ディスクが第２タイプ（例えば、図１の新しいバージョンの光ディスク１００ｂとして"Ｌ−ｔｏ−Ｈ  ｍｅｄｉａ"）に該当する場合、ＴＤＭＡ内に記録された最新情報（例えば、最終のＴＤＤＳ、ＴＤＦＬ、ＳＲＲＩ）がＤＭＡに移転・記録され（Ｓ４１）、前記ディスク内の最後のＬＲＡ位置（Ａ）と以前のＬＲＡ位置（Ｂ）とが比較される（Ｓ４２）。前記ステップＳ４２は、ガード領域を形成する位置を決定するための処理である。既に説明したように、前記ＬＲＡ位置（Ａ）とＬＲＡ位置（Ｂ）とを比較する方法の他にも多様な方法が存在しうる。
【０１７５】
前記比較結果、ＬＲＡ位置（Ａ）とＬＲＡ位置（Ｂ）との間の物理的間隔が特定の基準値（例えば、Ｌ個のクラスター）より小さい場合、すなわち、（Ａ−Ｂ）＜Ｌであると、前記ディスク内の最後のＬＲＡ位置（Ａ）を基準にして以前の全ての未記録領域が記録領域に変更される（Ｓ５１）、前記ディスクがクローズされたことを表示する認識情報（例えば、ガード領域形成）が記録される（Ｓ５２）。前記記録／再生装置は、再生される有効データが記録された位置を認識することができる。
【０１７６】
前記ステップＳ４２の比較結果、ＬＲＡ位置（Ａ）とＬＲＡ位置（Ｂ）との間の物理的間隔が特定の基準値（例えば、Ｌ個のクラスター）より大きい場合、すなわち、（Ａ−Ｂ）＞Ｌであると、前記ディスク内のＬＲＡ位置（Ｂ）を基準にして以前の全ての未記録領域が記録領域に変更され（Ｓ６２）、ＬＲＡ位置（Ｂ）の後に存在する有効データがＬＲＡ位置（Ｂ）の次に移転される（Ｓ６２）。ＢＤ−Ｒの場合、前記移転は、例えば、論理的重畳記録（ＬＯＷ）方式によって行われる。前記ステップＳ６２による移転・記録が完了されると、ディスク内の有効データが存在する最後の位置であることを表示する認識情報（例えば、ガード領域形成）が記録される（Ｓ６２）。前記ステップＳ６１とＳ６２は、遂行順序を変えても構わない。
【０１７７】
図１５は、本発明によって記録媒体にデータを記録したり、記録媒体からデータを再生する方法に対する他の例を示した図で、特に、上述した第５実施例（図１０Ｃ）を含むフローチャートである。
【０１７８】
例えば、記録／再生装置がアイドル状態であると（Ｓ３００）、クローズドＳＲＲのうち未記録領域が残っているＳＲＲが確認される。前記確認は、上述したＳＲＲＩを用いて行われる。例えば、"Ｆｉｌｌｅｄ−ｕｐ  ｆｌａｇ＝１ｂ"に設定されたクローズドＳＲＲのうち最も先頭にあるＳＲＲからバックグラウンドクローズが行われる（Ｓ３０１）。ダミーデータがその未記録領域に記録される。
【０１７９】
前記ステップＳ３０１は、システムによってインタラプトが発生しない限り、継続的に行われる。すなわち、特定のＳＲＲでバックグラウンドクローズが完了されると、"Ｆｉｌｌｅｄ−ｕｐ  ｆｌａｇ＝１ｂ"である次回のＳＲＲでバックグラウンドクローズが継続的に行われる。
【０１８０】
システムによってインタラプトが発生すると（Ｓ３０２）、前記バックグラウンドクローズが中断され、ＳＲＲエントリー内に関連した情報（"Ｆｉｌｌｅｄ−ｕｐ  ｆｌａｇ"及び／または"ｂｇ−ｐｒｏｃｅｓｓ  ｆｌａｇ"）が状況に合わせて設定される（Ｓ３０３）。前記各情報の意味及び記録方法は、上述した図１１Ａ及び図１１Ｃに基づいて説明した通りである。また、図１０Ｃのように、ＬＷＡ位置をメモリ１５内に保存しておくことも必要である。以後、前記インタラプト発生に該当する命令（例えば、記録または再生）が行われる（Ｓ３０４）。もちろん、前記命令（例えば、記録または再生）遂行が完了され、再び記録／再生装置がアイドル状態になると（Ｓ３００）、上述したステップＳ３０１のバックグラウンドクローズが再開される。
【０１８１】
前記ステップＳ３０３のようにＳＲＲエントリー内に管理情報を設定する処理は、必ずステップＳ３０４の前に行われるべきではない。例えば、バックグラウンドクローズ遂行が中断された位置を示すＬＷＡ位置のみが保存されている場合、前記ステップＳ３００から再びバックグラウンドクローズが行われる。一方、前記インタラプト発生に該当する命令がディスクを記録／再生装置からイジェクト（ｅｊｅｃｔ）する命令であると、前記ステップＳ３０３のように関連した情報がＳＲＲエントリー内に設定された後、当該命令（例えば、イジェクト命令）が行われるべきである。
【０１８２】
前記インタラプトに該当する命令が記録媒体をクローズする命令であると、図１４Ａ、図１４Ｂ及び図１４Ｃのうち何れか一つの方法によって前記記録媒体がクローズされる。
【０１８３】
図７Ａ〜図１５を参照して説明した記録媒体方法は、前記記録媒体内のセッションをクローズする場合にも同様に利用可能であることが自明である。
【０１８４】
以上、上述した本発明の好適な実施形態は、例示のために開示されたもので、当業者であれば、添付された特許請求の範囲に開示された本発明の技術的思想及びその技術的範囲内で多様に改良、変更、代替または付加可能であろう。
【図面の簡単な説明】
【０１８５】
【図１】本発明の概念的理解のために示した図である。
【図２】本発明の記録媒体の構造を例示した図である。
【図３】本発明の記録媒体内のデータが記録される方法を例示した図である。
【図４Ａ】本発明による記録範囲のクローズ方法の一例を示した図である。
【図４Ｂ】本発明による記録範囲のクローズ方法の一例を示した図である。
【図５Ａ】本発明による記録範囲のクローズ方法の他の例を示した図である。
【図５Ｂ】本発明による記録範囲のクローズ方法の他の例を示した図である。
【図６】本発明によるＳＲＲをクローズする方法を示したフローチャートである。
【図７Ａ】本発明による記録媒体のクローズ方法に対する第１実施例を示した図である。
【図７Ｂ】本発明による記録媒体のクローズ方法に対する第１実施例を示した図である。
【図８Ａ】本発明による記録媒体のクローズ方法に対する第２実施例を示した図である。
【図８Ｂ】本発明による記録媒体のクローズ方法に対する第２実施例を示した図である。
【図９Ａ】本発明による記録媒体のクローズ方法に対する第３実施例を示した図である。
【図９Ｂ】本発明による記録媒体のクローズ方法に対する第３実施例を示した図である。
【図１０Ａ】本発明による記録媒体のクローズ方法に対する第４実施例を示した図である。
【図１０Ｂ】本発明による記録媒体のクローズ方法に対する第４実施例を示した図である。
【図１０Ｃ】本発明による記録媒体のクローズ方法に対する第５実施例を示した図である。
【図１１Ａ】本発明による管理情報を記録する一例を示した図である。
【図１１Ｂ】本発明による管理情報を記録する一例を示した図である。
【図１１Ｃ】本発明による管理情報を記録する一例を示した図である。
【図１１Ｄ】本発明による管理情報を記録する一例を示した図である。
【図１２】本発明の記録媒体の記録再生装置を示した図である。
【図１３Ａ】本発明による記録媒体の記録／再生方法を示したフローチャートである。
【図１３Ｂ】本発明による記録媒体の管理情報記録方法を示したフローチャートである。
【図１４Ａ】本発明による記録媒体のクローズ方法を示したフローチャートである。
【図１４Ｂ】本発明による記録媒体のクローズ方法を示したフローチャートである。
【図１４Ｃ】本発明による記録媒体のクローズ方法を示したフローチャートである。
【図１５】本発明による記録媒体の記録／再生方法の他の例を示したフローチャートである。
【図１】
2009529749.tif 000004
【図２】
2009529749.tif 000005
【図３】
2009529749.tif 000006
【図４Ａ】
2009529749.tif 000007
【図４Ｂ】
2009529749.tif 000008
【図５Ａ】
2009529749.tif 000009
【図５Ｂ】
2009529749.tif 000010
【図６】
2009529749.tif 000011
【図７Ａ】
2009529749.tif 000012
【図７Ｂ】
2009529749.tif 000013
【図８Ａ】
2009529749.tif 000014
【図８Ｂ】
2009529749.tif 000015
【図９Ａ】
2009529749.tif 000016
【図９Ｂ】
2009529749.tif 000017
【図１０Ａ】
2009529749.tif 000018
【図１０Ｂ】
2009529749.tif 000019
【図１０Ｃ】
2009529749.tif 000020
【図１１Ａ】
2009529749.tif 000021
【図１１Ｂ】
2009529749.tif 000022
【図１１Ｃ】
2009529749.tif 000023
【図１１Ｄ】
2009529749.tif 000024
【図１２】
2009529749.tif 000025
【図１３Ａ】
2009529749.tif 000026
【図１３Ｂ】
2009529749.tif 000027
【図１４Ａ】
2009529749.tif 000028
【図１４Ｂ】
2009529749.tif 000029
【図１４Ｃ】
2009529749.tif 000030
【図１５】
2009529749.tif 000031
【国際調査報告】
2009529749.tif 000032
2009529749.tif 000033